(57)【要約】【課題】フイルムユニットが薄く、転写進行が速く、未露光部の濃度の低いカラー拡散転写フイルムユニットを提供する。【解決手段】透明支持体上に受像層、白色光拡散層、遮光層、および色素像形成物質が組み合わされたハロゲン化銀乳剤層を有する感光シート、支持体上に中和層および中和タイミング層を有する透明カバーシート、ならびに前記感光シートと前記透明カバーシートの間に展開されるカーボンブラック含有のアルカリ処理組成物を有してなる、透明カバーシートを通して露光するように配置された拡散転写フイルムユニットであって、前記感光シート中の白色光拡散層と遮光層の間に、光反射性微粒子含有層を有する拡散転写フイルムユニット。【選択図】なし【特許請求の範囲】
【請求項１】
透明支持体上に受像層、白色光拡散層、遮光層、および色素像形成物質と組み合わされたハロゲン化銀乳剤層を有する感光シート、支持体上に中和層および中和タイミング層を有する透明カバーシート、ならびに前記感光シートと前記透明カバーシートの間に展開されるカーボンブラック含有のアルカリ処理組成物を有してなる、透明カバーシートを通して露光するように配置された拡散転写フイルムユニットであって、前記感光シート中の白色光拡散層と遮光層の間に、光反射性微粒子含有層を有することを特徴とする拡散転写フイルムユニット。
【請求項２】
請求項１に記載の拡散転写フイルムユニットであって、前記光反射性微粒子が金属微粒子であることを特徴とする拡散転写フイルムユニット。
【請求項３】
請求項１に記載の拡散転写フイルムユニットであって、前記光反射性微粒子が光反射性有機化合物であることを特徴とする拡散転写フイルムユニット。
【請求項４】
請求項１に記載の拡散転写フイルムユニットであって、前記光反射性微粒子が再帰性光反射ビーズであることを特徴とする拡散転写フイルムユニット。
【請求項５】
請求項１に記載の拡散転写フイルムユニットであって、前記光反射性微粒子が膨潤性無機層状化合物であることを特徴とする拡散転写フイルムユニット。
【請求項６】
請求項１〜５のいずれか１項に記載の拡散転写フイルムユニットであって、該拡散転写フイルムユニット感光シート中の前記ハロゲン化銀乳剤が、ネガ型ハロゲン化銀乳剤であることを特徴とする拡散転写フイルムユニット。
【請求項７】
請求項１〜５のいずれか１項に記載の拡散転写フイルムユニットであって、 該拡散転写フイルムユニット感光シート中の前記ハロゲン化銀乳剤が、内部潜像型直接ポジハロゲン化銀乳剤であることを特徴とする拡散転写フイルムユニット。
【請求項８】
請求項１〜７のいずれか１項に記載の拡散転写フイルムユニットであって、複数個の特定波長域で発光する異なる光源を有する露光ヘッドを用いて露光されることを特徴とする拡散転写フイルムユニット。
【発明の詳細な説明】
【技術分野】
【０００１】
本発明は拡散転写フイルムユニットに関する。更に詳しくは、一体型カラー拡散転写フィルムユニットに関するものである。また、本発明は、フイルムユニットが薄く、転写進行が速く、未露光部の濃度の低いカラー拡散転写フイルムユニットに関する。
【背景技術】
【０００２】
カラー拡散転写フイルムユニットには、一体型と分割型がある。分割型の代表的な一つの例はいわゆるピールアパートタイプであり、これは感光要素と色素受像要素とが別の支持体上に塗設されており画像露光後、感光要素と色素受像要素とを重ね合わせ、その間に処理組成物を展開しその後色素受像要素を剥しとる事により色素受像層に転写された色素画像を得るものである。この形態の特長は、後述の一体型の様に支持体を通して画像を観察するのではなく、色素画像を直接観察できるため画質の低下がなく優れた色再現性を示す事にある。しかしながら、この形態では感光要素と受像要素とをカメラの中で重ね合わせるという操作上の不便さ、また剥離後アルカリ性の処理液がベタつき周囲に付着しやすいという処理済みフィルムの取扱い上の不便さがある。
【０００３】
この操作上、取扱い上の不便さを改善したものが一体型の形態である。一体型の拡散転写フイルムユニットは、非特許文献１または非特許文献２等多くの文献によく知られている。一体型では透明な支持体ともう一方の支持体との間に色素受像要素、感光要素、中和タイミング要素が塗設されており、感光要素が受像要素と同一の透明支持体上に塗設される形態と（以下、前者という）、別の支持体上に塗設される形態とがある（以下、後者という）。
【０００４】
前者の場合には受像要素と感光要素の間に白色光拡散層が塗設され、後者の場合には受像要素と感光要素の間に展開される処理組成物に白色顔料を含有させる事により受像層に転写した色素画像を反射光で観察できるようにしている。本発明は前者の形態に関し、透明支持体上に受像層、白色光拡散層、遮光層、少なくとも１つの色素像形成物質と組み合わされた少なくとも１層のハロゲン化銀乳剤層を有する感光シート、透明支持体上に少なくとも中和層、中和タイミング層を有する透明カバーシート、及び前記感光シートと前記透明カバーシートの間に展開されるようになっている遮光性のアルカリ処理組成物を含むカラー拡散転写フイルムユニットに関する。
【０００５】
ここで、遮光層、遮光性のアルカリ処理組成物、及び白色光拡散層の役割について、詳しく述べる。遮光層、及び遮光性のアルカリ処理組成物の役割は、処理後にハロゲン化銀乳剤層を暗室化するために必要な要素である。処理後にフイルムパックから、放出されたフイルムユニットは完全に光に曝されることとなる。遮光層が無い場合、処理後に、ハロゲン化銀乳剤層に光が届いてしまうため、未露光部も曝光され、現像され、処理後の保存時に着色してしまう。このために遮光層ではさみ、暗室化することが必要である。但し、初めからハロゲン化銀乳剤層を暗室化した場合、像様露光ができなくなる。そのために露光側は露光時には光が通るようにしておいて、処理時に遮光性のアルカリ処理組成物を展開し、もう一面も覆うことにより、暗室化を図っている。暗室化するために遮光層は必要であるが、遮光層は全波長の光を遮蔽するために、黒色で無ければならない。しかしながら、フイルムユニットが黒色であると、像様に転写してきた画像を確認することができなくなる。この問題を解決するために、白色光拡散層が必要である。白色光拡散層は受像層と遮光層の間に置かれ、遮光層の黒色を被い白地を形成する。白色光拡散層が存在することにより、未露光部に白色の画像を得ることができる。
現行のカラー拡散転写フイルムユニットの白色光拡散層には酸化チタンの微粉末が使用されている。酸化チタンの微粉末はもともと透明な物質であるが、空気との界面で光を拡散し、白色を形成している。酸化チタンは現存する物質の中で最も屈折率の高い物質であり、光の拡散を利用する白地の形成には、最も優れた物質である。
しかしながら、この酸化チタンを用いた場合でも、遮光層の黒色を隠すには莫大な量の酸化チタンが必要となる。この莫大な量の酸化チタンが現行のカラー拡散転写フイルムユニットの膜厚の大きな部分を占め、転写進行遅れの要因となっている。
このような状況下、十分な未露光部の白色度を保ちながら、酸化チタン量を減らし、転写進行を速める技術の開発が望まれていた。
【０００６】
【非特許文献１】リサーチ・ディスクロージャー（Research Disclosure），１９７６年，１５１巻No．１５１６２
【非特許文献２】フォトグラフィック・サイエンス・アンド・エンジニアリング（Photographic Science and Engineering），１９７６年７月１８日，２０巻４号
【発明の開示】
【発明が解決しようとする課題】
【０００７】
従って、本発明は、フイルムユニットが薄く、転写進行が速く、未露光部の濃度の低いカラー拡散転写フイルムユニットを提供することを目的とする。
【課題を解決するための手段】
【０００８】
上記課題は、下記により達成された。
（１）透明支持体上に受像層、白色光拡散層、遮光層、および色素像形成物質と組み合わされたハロゲン化銀乳剤層を有する感光シート、支持体上に中和層および中和タイミング層を有する透明カバーシート、ならびに前記感光シートと前記透明カバーシートの間に展開されるカーボンブラック含有のアルカリ処理組成物を有してなる、透明カバーシートを通して露光するように配置された拡散転写フイルムユニットであって、前記感光シート中の白色光拡散層と遮光層の間に、光反射性微粒子含有層を有することを特徴とする拡散転写フイルムユニット。
（２）（１）に記載の拡散転写フイルムユニットであって、前記光反射性微粒子が金属微粒子であることを特徴とする拡散転写フイルムユニット。
（３）（１）に記載の拡散転写フイルムユニットであって、前記光反射性微粒子が光反射性有機化合物であることを特徴とする拡散転写フイルムユニット。
（４）（１）に記載の拡散転写フイルムユニットであって、前記光反射性微粒子が再帰性光反射ビーズであることを特徴とする拡散転写フイルムユニット。
（５）（１）に記載の拡散転写フイルムユニットであって、前記光反射性微粒子が膨潤性無機層状化合物であることを特徴とする拡散転写フイルムユニット。
（６）（１）〜（５）のいずれか１項に記載の拡散転写フイルムユニットであって、該拡散転写フイルムユニット感光シート中の前記ハロゲン化銀乳剤が、ネガ型ハロゲン化銀乳剤であることを特徴とする拡散転写フイルムユニット。
（７）（１）〜（５）のいずれか１項に記載の拡散転写フイルムユニットであって、該拡散転写フイルムユニット感光シート中の前記ハロゲン化銀乳剤が、内部潜像型直接ポジハロゲン化銀乳剤であることを特徴とする拡散転写フイルムユニット。
（８）（１）〜（７）のいずれか１項に記載の拡散転写フイルムユニットであって、複数個の特定波長域で発光する異なる光源を有する露光ヘッドを用いて露光されることを特徴とする拡散転写フイルムユニット。
【発明の効果】
【０００９】
本発明の拡散転写フイルムユニットは、複数個の特定波長域で発光する異なる光源を有する露光ヘッドを用いて露光した場合でも、少ない白色光拡散剤で、未露光部の白色を保つことを可能とし、同様の白地を保ちながら、転写進行を速めることを可能とする。
したがって、本発明の拡散転写フイルムユニットは、フイルムユニットの厚さを薄くし、転写進行を速め、未露光部の濃度の低減を可能とする。
【発明を実施するための最良の形態】
【００１０】
以下に本発明の拡散転写フイルムユニットに用いられる光反射性微粒子について詳しく説明する。本発明の拡散転写フイルムユニットに用いられる光反射性微粒子は、光を反射する性質を持つ微粒子であれば如何なる微粒子であってもかまわないが、金属微粒子、光反射性有機化合物微粒子、再帰性光反射ビーズ、または膨潤性無機層状化合物が好ましい。
本発明の拡散転写フイルムユニットに用いられる微粒子の大きさは、好ましくは０．００１μｍ〜５０μｍ。より好ましくは０．０１μｍ〜２０μｍ。特に好ましくは０．０２μｍ〜１０μｍである。ここで、微粒子の大きさは、粒子の投影面積と等価な円の直径をもって粒子サイズとし、その数平均をとったものである。粒子の形状はいかなる形状でもよく、例えば、球形の粒子形状や平板上の粒子形状、鎖状の粒子形状、立方体状の粒子形状、直方体状の粒子形状などが好ましい。
【００１１】
（金属微粒子）
以下に本発明の拡散転写フイルムユニットに好ましく用いられる金属微粒子について更に詳しく説明する。
本発明には金属結合を有する如何なる物質も用いることができ、金属微粒子としては、単独組成を持つ金属微粒子及び、二種以上の金属の複合体金属または合金の金属微粒子を使用することもできる。また、二種以上の異なる金属微粒子を併用することもできる。
本発明の拡散転写フィルムユニットに好ましく用いられる金属は、アルミニウム、マグネシウム、チタン、バナジウム、クロム、鉄、コバルト、ニッケル、銅、亜鉛、ジルコニウム、ニオブ、モリブデン、ルテニウム、ロジウム、パラジウム、銀、スズ、オスミウム、イリジウム、白金、金、または鉛などであり、これらの合金も好ましく用いられる。好ましく用いられる合金は、例えば、ステンレスまたは真鍮などがあげられる。この中で、特に白色の金属光沢を持つという点で、銀または白金がより好ましく用いられる。
本発明で用いられる金属微粒子の大きさは、好ましくは０．００１μｍ〜１０μｍ、より好ましくは０．０１μｍ〜１μｍ、特に好ましくは０．０２μｍ〜０．５μｍである。粒子の形態はいかなる形態でもかまわないが、球形の粒子形状や平板上の粒子形状、鎖状の粒子形状、立方体状の粒子形状、または直方体状の粒子形状等も好ましい。
本発明の金属微粒子の添加量は０．０１ｇ／ｍ2〜５０ｇ／ｍ2（感光シートの面積対比の質量）が好ましく、０．１ｇ／ｍ2〜１０ｇ／ｍ2がより好ましく、０．２ｇ／ｍ2〜５ｇ／ｍ2が特に好ましい。少なすぎる場合は十分に遮光層の黒色を遮蔽することができず、多すぎる場合は、転写進行を速めるという本発明の目的を達成できない。
【００１２】
本発明の拡散転写フイルムユニットに用いる金属微粒子は、水１００重量部に金属微粒子５〜１０重量を添加し分散機にかけて分散することができる。分散機としては、機械的に直接力を加えて分散する各種分散機を用いることができ、例えば、大きな剪断力を有する高速攪拌型分散機、高強度の超音波エネルギーを与える分散機などが挙げられる。好ましい分散機は、ボールミル、サンドグラインダーミル、ビスコミル、コロイドミル、ホモジナイザー、ディゾルバー、ポリトロン、ホモミキサー、ホモブレンダー、ケディミル、ジェットアジター、毛細管式乳化装置、液体サイレン、電磁歪式超音波発生機、またはポールマン笛を有する乳化装置などである。
【００１３】
（光反射性有機化合物）
以下に本発明の拡散転写フイルムユニットに用いられる光反射性有機化合物について説明する。
物質が可視領域に吸収帯を持つと色がつくこととなる。そのとき、吸収される光の色と、実際に見られる色との間には、通常補色の関係がある。ただしこれは物質を通過した光によって示される色である。固体での反射光の反射率Ｒ（垂直入射での鏡面反射とする）は下式で表される。
【００１４】
【数１】
2006058501.tif 000002
ここで、ｎはその物質の屈折率、ｋは吸収係数である。ｋは、ｃをモル濃度、λを光の波長、εをその波長でのモル吸光係数として、ｋ＝２．３０３εｃλで表される値である。したがって、吸収帯が無くｋ＝０であるとき、またはｋが小さく、ｌｏｇε＝２でｋ＝０．１程度のときは、物質の色と吸収帯との関係は補色の関係のままである。しかしｋが大きく、ｌｏｇεが約３またはそれ以上になると、Ｒの値に影響してくる。このように、吸収帯の裾と極大付近ではＲが著しく異なることとなり、波長依存性が出てくるため、吸収する光の色が見えることになる。本発明で用いられる光反射性有機化合物は、この原理に基づき、好ましくはLogεが３以上の有機化合物である。
本発明の拡散転写フイルムユニットに用いられる光反射性有機化合物は上記の原理により光を反射する有機化合物であればいかなる有機化合物でも良いが、以下の一般式（Ｉ）で表される構造を有する有機化合物が好ましく用いられる。
【００１５】
【化１】
2006058501.tif 000003
【００１６】
（式中、ＡおよびＢは各々共役二重結合鎖を完成するのに必要な原子団を表し、ＹおよびＺは各々、炭素環または複素環を形成するのに必要な原子団を表す。Ｌ1、Ｌ2、Ｌ3、Ｌ4およびＬ5は各々、置換されていてもよいメチン基を表し、Ｍk+は金属カチオンを表し、ＸおよびＸ’は各々酸素原子、硫黄原子または−Ｃ（ＣＮ）2を表す。ｍ１およびｎ１は各々０、１、または２を表し、ｘおよびｙは各々０または１を表す。Ｍk+はｋ価の金属カチオンを表し、ｋは２以上の整数を表し、ｎは一般式（Ｉ）中の正電荷数と負電荷数とを等しくするために必要な数を表す。）
【００１７】
以下に一般式(Ｉ)で示される化合物について詳細に説明する。
前記一般式（Ｉ）中、Ｙに結合する−Ｃ−（Ａ）x−Ｃ（＝Ｘ）−とＺに結合する−Ｃ＝（Ｂ）y＝Ｃ（−Ｘ’-）−とはそれぞれ共役状態にある。従って、Ｙとこれに結合する−Ｃ−（Ａ）x−Ｃ（＝Ｘ）−とで表される炭素環または複素環、およびＺとこれに結合する−Ｃ＝（Ｂ）y＝Ｃ（−Ｘ’-）−とで表される炭素環または複素環は、各々共鳴構造の１つとして考えられる。以下では、便宜的に、ＹおよびＺと、これに各々結合する−Ｃ−（Ａ）x−Ｃ（＝Ｘ）−および−Ｃ−（Ｂ）y−Ｃ（−Ｘ’-）−とで表される炭素環および複素環（以下、各々「共鳴構造の炭素環」および「共鳴構造の複素環」という場合がある）について、まとめて説明する。
【００１８】
共鳴構造の炭素環および複素環としては、４〜７員環の炭素環または複素環が好ましい。特に好ましくは５または６員環の炭素環または複素環である。これらの環は、更に他の環と縮合していてもよく、縮合する環としては４〜７員環が好ましい。また、前記炭素環または複素環は置換基を有していてもよい。
【００１９】
置換基としては、ハロゲン原子、アルキル基（シクロアルキル基、ビシクロアルキル基を含む）、アルケニル基（シクロアルケニル基、ビシクロアルケニル基を含む）、アルキニル基、アリール基、ヘテロ環基、シアノ基、ヒドロキシル基、ニトロ基、カルボキシル基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ、アミノ基（アニリノ基を含む）、アシルアミノ基、アミノカルボニルアミノ基、アルコキシカルボニルアミノ基、アリールオキシカルボニルアミノ基、スルファモイルアミノ基、アルキル及びアリールスルホニルアミノ基、メルカプト基、アルキルチオ基、アリールチオ基、ヘテロ環チオ基、スルファモイル基、スルホ基、アルキル及びアリールスルフィニル基、アルキル及びアリールスルホニル基、アシル基、アリールオキシカルボニル基、アルコキシカルボニル基、カルバモイル基、アリール及びヘテロ環アゾ基、イミド基、ホスフィノ基、ホスフィニル基、ホスフィニルオキシ基、ホスフィニルアミノ基、シリル基が好ましい例として挙げられる。
【００２０】
前記置換基を更に詳しく説明すると、ハロゲン原子（例えば、塩素原子、臭素原子、ヨウ素原子）、アルキル基（直鎖、分岐、環状の置換もしくは無置換のアルキル基であり、好ましくは炭素原子数１〜３０のアルキル基、例えばメチル、エチル、ｎ−プロピル、イソプロピル、ｔ−ブチル、ｎ−オクチル、エイコシル、２−クロロエチル、２−シアノエチル、２―エチルヘキシル）、シクロアルキル基（好ましくは、炭素原子数３〜３０の置換または無置換のシクロアルキル基、例えば、シクロヘキシル、シクロペンチル、４−ｎ−ドデシルシクロヘキシル）、ビシクロアルキル基（好ましくは、炭素原子数５〜３０の置換もしくは無置換のビシクロアルキル基、つまり、炭素原子数５〜３０のビシクロアルカンから水素原子を一個取り去った一価の基、例えば、ビシクロ［１，２，２］ヘプタン−２−イル、ビシクロ［２，２，２］オクタン−３−イル、更に環構造が多いトリシクロ構造なども包含する）が好ましい。以下に説明する置換基の中のアルキル基（例えばアルキルチオ基のアルキル基）についても、同様の概念のアルキル基を表す。
【００２１】
アルケニル基（直鎖、分岐、環状の置換もしくは無置換のアルケニル基であり、好ましくは炭素原子数２〜３０の置換または無置換のアルケニル基、例えば、ビニル、アリル、プレニル、ゲラニル、オレイル）、シクロアルケニル基（好ましくは、炭素原子数３〜３０の置換もしくは無置換のシクロアルケニル基、つまり、炭素原子数３〜３０のシクロアルケンの水素原子を一個取り去った一価の基である。例えば、２−シクロペンテン−１−イル、２−シクロヘキセン−１−イル）、ビシクロアルケニル基（置換もしくは無置換のビシクロアルケニル基、好ましくは炭素原子数５〜３０の置換もしくは無置換のビシクロアルケニル基、つまり二重結合を一個持つビシクロアルケンの水素原子を一個取り去った一価の基（例えば、ビシクロ［２，２，１］ヘプト−２−エン−１−イル、ビシクロ［２，２，２］オクト−２−エン−４−イル）がより好ましい。
さらに、炭素原子数２〜３０の置換または無置換のアルキニル基（例えば、エチニル、プロパルギル、トリメチルシリルエチニル基）、アリール基（好ましくは炭素原子数６〜３０の置換もしくは無置換のアリール基、例えばフェニル、ｐ−トリル、ナフチル、ｍ−クロロフェニル、ｏ−ヘキサデカノイルアミノフェニル）、
【００２２】
ヘテロ環基（好ましくは５員もしくは６員の置換もしくは無置換の芳香族または非芳香族のヘテロ環化合物から一個の水素原子を取り除いた一価の基であり、より好ましくは、炭素原子数３〜３０の５員もしくは６員の芳香族のヘテロ環基であり、例えば、２−フリル、２−チエニル、２−ピリミジニル、２−ベンゾチアゾリル）、シアノ基、ヒドロキシル基、ニトロ基、カルボキシル基、アルコキシ基（好ましくは、炭素原子数１〜３０の置換もしくは無置換のアルコキシ基、例えば、メトキシ、エトキシ、イソプロポキシ、ｔ−ブトキシ、ｎ−オクチルオキシ、２−メトキシエトキシ）、アリールオキシ基（好ましくは、炭素原子数６〜３０の置換もしくは無置換のアリールオキシ基、例えば、フェノキシ、２−メチルフェノキシ、４−ｔ−ブチルフェノキシ、３−ニトロフェノキシ、２−テトラデカノイルアミノフェノキシ）、シリルオキシ基（好ましくは、炭素原子数３〜２０のシリルオキシ基、例えば、トリメチルシリルオキシ、ｔ−ブチルジメチルシリルオキシ）、ヘテロ環オキシ基（好ましくは、炭素原子数２〜３０の置換もしくは無置換のヘテロ環オキシ基、１−フェニルテトラゾールー５−オキシ、２−テトラヒドロピラニルオキシ）、アシルオキシ基（好ましくはホルミルオキシ基、炭素原子数２〜３０の置換もしくは無置換のアルキルカルボニルオキシ基、炭素原子数６〜３０の置換もしくは無置換のアリールカルボニルオキシ基、例えば、ホルミルオキシ、アセチルオキシ、ピバロイルオキシ、ステアロイルオキシ、ベンゾイルオキシ、ｐ−メトキシフェニルカルボニルオキシ）、
【００２３】
カルバモイルオキシ基（好ましくは、炭素原子数１〜３０の置換もしくは無置換のカルバモイルオキシ基、例えば、Ｎ，Ｎ−ジメチルカルバモイルオキシ、Ｎ，Ｎ−ジエチルカルバモイルオキシ、モルホリノカルボニルオキシ、Ｎ，Ｎ−ジ−ｎ−オクチルアミノカルボニルオキシ、Ｎ−ｎ−オクチルカルバモイルオキシ）、アルコキシカルボニルオキシ基（好ましくは、炭素原子数２〜３０の置換もしくは無置換アルコキシカルボニルオキシ基、例えばメトキシカルボニルオキシ、エトキシカルボニルオキシ、ｔ−ブトキシカルボニルオキシ、ｎ−オクチルカルボニルオキシ）、アリールオキシカルボニルオキシ基（好ましくは、炭素原子数７〜３０の置換もしくは無置換のアリールオキシカルボニルオキシ基、例えば、フェノキシカルボニルオキシ、ｐ−メトキシフェノキシカルボニルオキシ、ｐ−ｎ−ヘキサデシルオキシフェノキシカルボニルオキシ）、アミノ基（好ましくは、アミノ基、炭素原子数１〜３０の置換もしくは無置換のアルキルアミノ基、炭素原子数６〜３０の置換もしくは無置換のアニリノ基、例えば、アミノ、メチルアミノ、ジメチルアミノ、アニリノ、Ｎ−メチル−アニリノ、ジフェニルアミノ）、アシルアミノ基（好ましくは、ホルミルアミノ基、炭素原子数１〜３０の置換もしくは無置換のアルキルカルボニルアミノ基、炭素原子数６〜３０の置換もしくは無置換のアリールカルボニルアミノ基、例えば、ホルミルアミノ、アセチルアミノ、ピバロイルアミノ、ラウロイルアミノ、ベンゾイルアミノ、３，４，５−トリ−ｎ−オクチルオキシフェニルカルボニルアミノ）、
【００２４】
アミノカルボニルアミノ基（好ましくは、炭素原子数１〜３０の置換もしくは無置換のアミノカルボニルアミノ、例えば、カルバモイルアミノ、Ｎ，Ｎ−ジメチルアミノカルボニルアミノ、Ｎ，Ｎ−ジエチルアミノカルボニルアミノ、モルホリノカルボニルアミノ）、アルコキシカルボニルアミノ基（好ましくは炭素原子数２〜３０の置換もしくは無置換アルコキシカルボニルアミノ基、例えば、メトキシカルボニルアミノ、エトキシカルボニルアミノ、ｔ−ブトキシカルボニルアミノ、ｎ−オクタデシルオキシカルボニルアミノ、Ｎ−メチルーメトキシカルボニルアミノ）、アリールオキシカルボニルアミノ基（好ましくは、炭素原子数７〜３０の置換もしくは無置換のアリールオキシカルボニルアミノ基、例えば、フェノキシカルボニルアミノ、ｐ−クロロフェノキシカルボニルアミノ、ｍ−ｎ−オクチルオキシフェノキシカルボニルアミノ）、スルファモイルアミノ基（好ましくは、炭素原子数０〜３０の置換もしくは無置換のスルファモイルアミノ基、例えば、スルファモイルアミノ、Ｎ，Ｎ−ジメチルアミノスルホニルアミノ、Ｎ−ｎ−オクチルアミノスルホニルアミノ）、
【００２５】
アルキル及びアリールスルホニルアミノ基（好ましくは炭素原子数１〜３０の置換もしくは無置換のアルキルスルホニルアミノ、炭素原子数６〜３０の置換もしくは無置換のアリールスルホニルアミノ、例えば、メチルスルホニルアミノ、ブチルスルホニルアミノ、フェニルスルホニルアミノ、２，３，５−トリクロロフェニルスルホニルアミノ、ｐ−メチルフェニルスルホニルアミノ）、メルカプト基、アルキルチオ基（好ましくは、炭素原子数１〜３０の置換もしくは無置換のアルキルチオ基、例えばメチルチオ、エチルチオ、ｎ−ヘキサデシルチオ）、アリールチオ基（好ましくは炭素原子数６〜３０の置換もしくは無置換のアリールチオ、例えば、フェニルチオ、ｐ−クロロフェニルチオ、ｍ−メトキシフェニルチオ）、ヘテロ環チオ基（好ましくは炭素原子数２〜３０の置換または無置換のヘテロ環チオ基、例えば、２−ベンゾチアゾリルチオ、１−フェニルテトラゾール−５−イルチオ）、スルファモイル基（好ましくは炭素原子数０〜３０の置換もしくは無置換のスルファモイル基、例えば、Ｎ−エチルスルファモイル、Ｎ−（３−ドデシルオキシプロピル）スルファモイル、Ｎ，Ｎ−ジメチルスルファモイル、Ｎ−アセチルスルファモイル、Ｎ−ベンゾイルスルファモイル、Ｎ−（Ｎ‘−フェニルカルバモイル）スルファモイル）、スルホ基、アルキル及びアリールスルフィニル基（好ましくは、炭素原子数１〜３０の置換または無置換のアルキルスルフィニル基、６〜３０の置換または無置換のアリールスルフィニル基、例えば、メチルスルフィニル、エチルスルフィニル、フェニルスルフィニル、ｐ−メチルフェニルスルフィニル）、
【００２６】
アルキル及びアリールスルホニル基（好ましくは、炭素原子数１〜３０の置換または無置換のアルキルスルホニル基、６〜３０の置換または無置換のアリールスルホニル基、例えば、メチルスルホニル、エチルスルホニル、フェニルスルホニル、ｐ−メチルフェニルスルホニル）、アシル基（好ましくはホルミル基、炭素原子数２〜３０の置換または無置換のアルキルカルボニル基、、炭素原子数７〜３０の置換もしくは無置換のアリールカルボニル基、例えば、アセチル、ピバロイル、２−クロロアセチル、ステアロイル、ベンゾイル、ｐ−ｎ−オクチルオキシフェニルカルボニル）、アリールオキシカルボニル基（好ましくは、炭素原子数７〜３０の置換もしくは無置換のアリールオキシカルボニル基、例えば、フェノキシカルボニル、ｏ−クロロフェノキシカルボニル、ｍ−ニトロフェノキシカルボニル、ｐ−ｔ−ブチルフェノキシカルボニル）、アルコキシカルボニル基（好ましくは、炭素原子数２〜３０の置換もしくは無置換アルコキシカルボニル基、例えば、メトキシカルボニル、エトキシカルボニル、ｔ−ブトキシカルボニル、ｎ−オクタデシルオキシカルボニル）、カルバモイル基（好ましくは、炭素原子数１〜３０の置換もしくは無置換のカルバモイル、例えば、カルバモイル、Ｎ−メチルカルバモイル、Ｎ，Ｎ−ジメチルカルバモイル、Ｎ，Ｎ−ジ−ｎ−オクチルカルバモイル、Ｎ−（メチルスルホニル）カルバモイル）、
【００２７】
アリール及びヘテロ環アゾ基（好ましくは炭素原子数６〜３０の置換もしくは無置換のアリールアゾ基、炭素原子数３〜３０の置換もしくは無置換のヘテロ環アゾ基、例えば、フェニルアゾ、ｐ−クロロフェニルアゾ、５−エチルチオ−１，３，４−チアジアゾール−２−イルアゾ）、イミド基（好ましくは、Ｎ−スクシンイミド、Ｎ−フタルイミド）、ホスフィノ基（好ましくは、炭素原子数２〜３０の置換もしくは無置換のホスフィノ基、例えば、ジメチルホスフィノ、ジフェニルホスフィノ、メチルフェノキシホスフィノ）、ホスフィニル基（好ましくは、炭素原子数２〜３０の置換もしくは無置換のホスフィニル基、例えば、ホスフィニル、ジオクチルオキシホスフィニル、ジエトキシホスフィニル）、ホスフィニルオキシ基（好ましくは、炭素原子数２〜３０の置換もしくは無置換のホスフィニルオキシ基、例えば、ジフェノキシホスフィニルオキシ、ジオクチルオキシホスフィニルオキシ）、ホスフィニルアミノ基（好ましくは、炭素原子数２〜３０の置換もしくは無置換のホスフィニルアミノ基、例えば、ジメトキシホスフィニルアミノ、ジメチルアミノホスフィニルアミノ）、シリル基（好ましくは、炭素原子数３〜３０の置換もしくは無置換のシリル基、例えば、トリメチルシリル、ｔ−ブチルジメチルシリル、フェニルジメチルシリル）が好ましい。
【００２８】
前記例示した置換基の中で、水素原子を有するものは、置換基に含まれる水素原子を取り去り、更に上記例示した置換基で置換されていてもよい。水素原子を含む置換基の例としては、アルキルカルボニルアミノスルホニル基、アリールカルボニルアミノスルホニル基、アルキルスルホニルアミノカルボニル基、アリールスルホニルアミノカルボニル基が挙げられ、水素原子を取り去り更に置換基で置換されたもののの例としては、メチルスルホニルアミノカルボニル、ｐ−メチルフェニルスルホニルアミノカルボニル、アセチルアミノスルホニル、ベンゾイルアミノスルホニル基が挙げられる。また、前記例示した置換基の中で、解離性の水素原子を有するものは、置換基の中に含まれる解離性の水素原子を取り去り、ｎ／ｋ  Ｍk+（ｎ、ｋおよびＭの詳細については後述する）で表される多価カチオンまたは他のカチオンと塩を形成していてもよく、ｎ／ｋ  Ｍk+で表される多価カチオンと塩を形成しているのが好ましい。解離性の水素原子を有する置換基の例としては、ヒドロキシル基、カルボキシル基、イミド基、スルホ基、カルバモイル基（アシルカルバモイル基、スルホニルカルバモイル基など）等が挙げられる。
【００２９】
前記複素環は１種のヘテロ原子を含んでいてもよいし、相互に異なる２種以上のヘテロ原子を含んでいてもよい。共鳴構造の複素環を形成するヘテロ原子として好ましいものは、ホウ素原子、窒素原子、酸素原子、硫黄原子、セレン原子およびテルル原子から選ばれる原子である。中でも、窒素原子、酸素原子および硫黄原子から選ばれる原子がより好ましい。
【００３０】
前記一般式（Ｉ）中、ｘおよびｙはそれぞれ独立に０または１を表すが、好ましくは０である。
【００３１】
前記一般式（Ｉ）中、ＸおよびＸ’は、酸素原子、硫黄原子または−Ｃ（ＣＮ）2を表す。中でも、酸素原子が好ましい。
【００３２】
前記共鳴構造の炭素環としては、以下の炭素環Ｉ−１〜Ｉ−４が挙げられる。
【００３３】
【化２】
2006058501.tif 000004
【００３４】
中でも、共鳴構造の炭素環としては、炭素環Ｉ−１およびＩ−４が好ましい。
【００３５】
前記共鳴構造の複素環としては、以下の複素環Ｉ−５〜Ｉ−４１が挙げられる。
【００３６】
【化３】
2006058501.tif 000005
【００３７】
【化４】
2006058501.tif 000006
【００３８】
【化５】
2006058501.tif 000007
【００３９】
【化６】
2006058501.tif 000008
【００４０】
【化７】
2006058501.tif 000009
【００４１】
中でも、共鳴構造の複素環としては、Ｉ−５、Ｉ−６、Ｉ−７、Ｉ−８，Ｉ−９、Ｉ−１８、Ｉ−３５、Ｉ−３６およびＩ−４０が好ましく、Ｉ−５、Ｉ−６およびＩ−７がより好ましく、Ｉ−６が特に好ましい。
【００４２】
前記炭素環および複素環において、Ｒ1、Ｒ2、Ｒ3、Ｒ4、Ｒ5およびＲ6は各々、水素原子または置換基を表し、該置換基としては、前記共鳴構造の炭素環および複素環の置換基と同義である。また、Ｒ1、Ｒ2、Ｒ3、Ｒ4、Ｒ5およびＲ6のうち、任意の２つが連結して縮合環を形成していてもよい。
【００４３】
前記一般式（Ｉ）中、Ｌ1、Ｌ2、Ｌ3、Ｌ4およびＬ5で表されるメチン基は、各々同一であっても異なっていてもよい。また前記メチン基には、無置換のメチン基および置換基を有するメチン基が含まれる。該置換基としては、前記共鳴構造の炭素環および複素環の置換基と同義である。中でも、好ましい置換基としてはアルキル基、アリール基、アルコキシ基、アリールオキシ基、アシルアミノ基、アルキルチオ基、アリールチオ基、ハロゲン原子、アミノ基、カルバモイル基またはヘテロ環基である。また、２以上の置換基が連結して５〜７員環（例えば、シクロペンテン環、１−ジメチルアミノシクロペンテン環、１−ジフェニルアミノシクロペンテン環、シクロヘキセン環、１−クロロシクロヘキセン環、イソホロン環、１−モルホリノシクロペンテン環、シクロヘプテン環など）を形成していてもよい。
【００４４】
前記一般式（Ｉ）中、ｍ１およびｎ１は各々０、１または２を表す。中でも、ｍ１とｎ１との和が０、１、２、または３であることが好ましく、ｍ１とｎ１との和が０、１、または２であることがより好ましい。
【００４５】
前記一般式（Ｉ）中、Ｍk+はｋ価の金属カチオンを表し、ｋは２以上の整数を表し、ｎは、一般式（Ｉ）中の正電荷数と負電荷数とを等しくするために必要な数を表す。Ｍk+で表される金属カチオンとしては、２価以上の状態が取れる金属であればどのようなものでもよい。第２族、第１２族〜１５族の典型金属イオン、第３族〜第１１族の遷移金属イオンはいずれも利用できる。この中でも、第２族、第１２族、および第１３族の典型金属イオンがより好ましく、マグネシウム、カルシウム、ストロンチウム、バリウム、亜鉛およびアルミニウムイオンがより好ましく、マグネシウム、カルシウム、亜鉛およびアルミニウムイオンが特に好ましい。
【００４６】
ｋは２以上の整数を表し、２〜６が好ましく、２〜４がより好ましく、特に好ましくは２または３である。
【００４７】
前記一般式（Ｉ）で表される色素の中でも、下記一般式（Ｉ’）で表される化合物が特に好ましい。
【００４８】
【化８】
2006058501.tif 000010
【００４９】
前記一般式（Ｉ’）中、Ｒ1、Ｒ2、Ｌ1、Ｌ2、Ｌ3、Ｌ4、Ｌ5、ｍ１、ｎ１、Ｍk+、ｋおよびｎの定義および好ましい範囲については、前記一般式（Ｉ）中の各々と同じである。
【００５０】
以下に、一般式（Ｉ）で表される化合物の具体例を、例示化合物Ｎｏ．とともに示すが、これらは本発明を制限するものではない。
【００５１】
【化９】
2006058501.tif 000011
【００５２】
【化１０】
2006058501.tif 000012
【００５３】
【化１１】
2006058501.tif 000013
【００５４】
【化１２】
2006058501.tif 000014
【００５５】
【化１３】
2006058501.tif 000015
【００５６】
【化１４】
2006058501.tif 000016
【００５７】
【化１５】
2006058501.tif 000017
【００５８】
【化１６】
2006058501.tif 000018
【００５９】
【化１７】
2006058501.tif 000019
【００６０】
【化１８】
2006058501.tif 000020
【００６１】
【化１９】
2006058501.tif 000021
【００６２】
【化２０】
2006058501.tif 000022
【００６３】
【化２１】
2006058501.tif 000023
【００６４】
【化２２】
2006058501.tif 000024
【００６５】
【化２３】
2006058501.tif 000025
【００６６】
【化２４】
2006058501.tif 000026
【００６７】
【化２５】
2006058501.tif 000027
【００６８】
【化２６】
2006058501.tif 000028
【００６９】
尚、前記一般式（Ｉ）で表される化合物は、結晶溶媒を含んでいてもよい。結晶溶媒になり得るのは、合成時に使用した溶媒や試薬等である。例えば、水が挙げられる。
【００７０】
前記一般式（Ｉ）で表される化合物は、下記一般式（III）で表される化合物と、２価以上の金属カチオン（Ｍk+）の塩を含有する水および／または有機溶媒（例えばメタノール、エタノール、イソプロパノール、ジメチルホルムアミド、ジメチルアセトアミド、ジメチルスルホキシドなど）中で塩交換反応によって容易に合成できる。塩交換反応は、例えば、多価金属カチオンの塩を含有する水溶液や有機溶媒溶液、あるいは水と有機溶媒の混合溶液に、色素の粉末を添加したり、色素の水溶液や有機溶媒溶液、あるいは水と有機溶媒の混合溶液を添加することによって行うことができる。また逆に、色素の水溶液や有機溶媒溶液、あるいは水と有機溶媒の混合溶液に多価金属カチオンの塩の粉末を添加したり、多価金属カチオンの塩を含有する水溶液や有機溶媒溶液、あるいは水と有機溶媒の混合溶液を添加することによっても行うことができる。更に、色素と多価金属カチオンの塩の両者が完全に溶解しない状態で混合することによっても、塩交換反応を行うことができる。
色素の粉末を添加する場合には、添加する色素が多価金属カチオンを含む溶媒にある程度溶解することが好ましい。添加する色素が多価金属カチオンを含む溶媒に対する溶解度が低い場合には、色素を溶液の形で添加することが好ましい。
【００７１】
【化２７】
2006058501.tif 000029
【００７２】
前記一般式（III）中、Ａ、Ｂ、Ｙ、Ｚ、Ｌ1、Ｌ2、Ｌ3、Ｌ4、Ｌ5、Ｐ、Ｐ’、Ｑ、Ｑ’、Ｘ、Ｘ’、ｍ１、ｎ１、ｘおよびｙは、前記一般式（Ｉ）において既に定義されたものと各々同義である。Ｍ1+は１価の有機または無機のカチオンを表す（例えばアルカリ金属イオン（例えばリチウムイオン、ナトリウムイオン、カリウムイオンなど）、アンモニウムイオン（ＮＨ4+）、トリエチルアンモニウムイオン（Ｅｔ3ＮＨ+）、ピリジニウムイオン（Ｃ6Ｈ5ＮＨ+）など）。
【００７３】
前記一般式（III）で表される化合物は、一般に、相当する活性メチレン化合物（（チオ）バルビツール酸、ピラゾロン、インダンジオン、イソオキサゾロンなど）と、メチン色素にメチン基またはポリメチン基を導入するのに使用されるメチン源との縮合反応によって合成することができる。この種の化合物の合成に関する詳細については、特公昭３９−２２０６９号、同４３−３５０４号、同５２−３８０５６号、同５４−３８１２９号、同５５−１００５９号、同５８−３５５４４号、特開昭４９−９９６２０号、同５２−９２７１６号、同５９−１６８３４号、同６３−３１６８５３号、同６４−４０８２７号各公報、および英国特許第１１３３９８６号、米国特許第３，２４７，１２７号、同第４，０４２，３９７号、同第４，１８１，２２５号、同第５，２１３，９５６号、同第５，２６０，１７９号各明細書などを参照することができる。
【００７４】
具体的には、モノメチン基の導入には、オルトギ酸エチル、オルト酢酸エチルなどのオルトエステル類、またはＮ，Ｎ−ジフェニルホルムアミジン塩酸塩などを使用でき、トリメチン基の導入には、トリメトキシプロペン、１，１，３，３−テトラメトキシプロパン、またはマロンジアルデヒドジアニル塩酸塩（或いはこれらの誘導体）等を用いることができる。さらにペンタメチン基の導入にはグルタコンアルデヒドジアニル塩酸塩または１−（２，４−ジニトロフェニル）−ピリジニウムクロリド、１−（２−ベンジチアゾリル）−ピリジニウムクロリド（或いはこれらの誘導体）等を使用できる。
【００７５】
本発明の拡散転写フイルムユニットに用いられる光反射性有機化合物は、固体分散状態で拡散転写フイルムユニットに導入することにより光反射性を付与することが好ましい。
本発明の拡散転写フイルムユニットに用いられる光反射有機化合物微粒子を得るための固体微粒子分散物は、前記一般式（Ｉ）で表される化合物（以下、これらの化合物を「本発明の化合物」という場合がある）を媒体に分散することが好ましい。一般式（Ｉ）で表わされる化合物は、水への溶解度が低いので、水性媒体に分散させることで各種着色剤として利用することができる。一般式（Ｉ）で表わされる化合物を水性媒体中に分散させる場合は、分散機（例、ボールミル、サンドミル、アトライター、ロールミル、アジテーターミル、ヘンシェルミキサー、コロイドミル、超音波ホモジナイザー、パールミル、ジェットミル、オングミル）を用い、一般式（Ｉ）で表わされる化合物を微粒子の状態で分散させるのが好ましい。また、一般式（Ｉ）で表わされる化合物を適当な有機溶剤に溶解してから、得られた溶液を水性媒体中に添加して微粒子分散物を作製することもできる。
光反射性微粒子含有層に含まれる光反射有機化合物は、一種であっても、二種以上含まれていてもよい。
【００７６】
本発明の拡散転写フイルムユニットに用いられる光反射性有機化合物の固体分散物の粒子の大きさは０．００１μｍ〜１０μｍが好ましく、０．０１μｍ〜１μｍがより好ましく、０．０５μｍ〜０．５μｍが特に好ましい。
本発明の光反射性有機化合物の添加量は０．０１ｇ／ｍ2〜５０ｇ／ｍ2が好ましく、０．１ｇ／ｍ2〜１０ｇ／ｍ2がより好ましく、２ｇ／ｍ2〜５ｇ／ｍ2が特に好ましい。少なすぎる場合は十分に遮光層の黒色を遮蔽することができず、多すぎる場合は、転写進行を速めるという本発明の目的を達成できない。
【００７７】
（膨潤性無機層状化合物）
次に本発明の拡散転写フイルムユニットに用いられる膨潤性無機層状化合物について詳細に述べる。本発明の拡散転写フイルムユニットに用いられる膨潤性無機層状化合物としては、ベントナイト、ヘクトナイト、モンモリロナイト等の膨潤性粘土鉱物類、膨潤性合成雲母、膨潤性合成スメクタイト等が挙げられる。これらの膨潤性無機層状化合物は１０〜１５オングストロームの厚さの単位結晶格子層からなる積層構造を有し、格子内金属原子置換が他の粘土鉱物より著しく大きい。その結果、格子層は正電荷不足を生じ、それを補償するために層間にリチウムイオン（Ｌｉ+）、ナトリウムイオン（Ｎａ+）、カルシウムイオン（Ｃａ2+）、マグネシウムイオン（Ｍｇ2+）等の陽イオンを吸着している。これらの層間に介在している陽イオンは交換性陽イオン呼ばれ、いろいろな陽イオンと交換する。特に層間の陽イオンがリチウムイオン（Ｌｉ+）、ナトリウムイオン（Ｎａ+）の場合、イオン半径が小さいため層状結晶格子間の結合が弱く、水により大きく膨潤する。その状態でシェアーをかけると容易に劈開し、水中で安定したゾルを形成する。ベントナイト及び膨潤性合成雲母はその傾向が強く本発明の目的には好ましい。特に膨潤性合成雲母は好ましく用いられる。本発明に用いる膨潤性合成雲母としては、ナトリウムテト
ラシックマイカ（NaMg2.5(Si4O10)F2 、ナトリウム又はリチウムテニオライト(NaLi)Mg2Li(Si4O10)F2 、ナトリウム又はリチウムヘクトライト(NaLi)1/3Mg2/3Li1/3(Si4O10)F2 等が挙げられる。本発明において好ましく用いられる膨潤性合成雲母のサイズは厚さが１〜５０nm、面サイズが１〜１００μm である。拡散転写フイルムユニットの膨潤性無機層状化合物添加層の薄層化のためには、膨潤性無機層状化合物の厚さは薄ければ薄いほどよく、平面サイズは塗布面の平滑性を悪化しない範囲で大きいことが望ましい。従って、アスペクト比は１００以上が好ましく、より好ましくは２００以上、特に好ましくは４００以上である。上限は特にないが、入手可能なアスペクト比として１０００以下が実際的である。本発明に用いる膨潤性無機層状化合物の添加量は、０．０１ｇ／ｍ2〜５０ｇ／ｍ2が好ましく、０．１ｇ／ｍ2〜１０ｇ／ｍ2が更に好ましく、０．２ｇ／ｍ2〜５ｇ／ｍ2が特に好ましい。少なすぎる場合は十分に遮光層の黒色を遮蔽することができず、多すぎる場合は、転写進行を速めるという本発明の目的を達成できない。
光反射性微粒子含有層に含まれる膨潤性無機層状化合物は、一種であっても、二種以上含まれていてもよい。
【００７８】
次に本発明の拡散転写フイルムユニットに用いられる膨潤性無機層状化合物の分散方法について述べる。水１００重量部に膨潤性無機層状化合物５〜１０重量部添加し、十分水になじませ、膨潤させてから分散機にかけて分散することができる。使用する分散機としては、機械的に直接力を加えて分散する各種分散機を用いることができ、大きな剪断力を有する高速攪拌型分散機、高強度の超音波エネルギーを与える分散機などが挙げられる。好ましい分散機は、ボールミル、サンドグラインダーミル、ビスコミル、コロイドミル、ホモジナイザー、ディゾルバー、ポリトロン、ホモミキサー、ホモブレンダー、ケディミル、ジェットアジター、毛細管式乳化装置、液体サイレン、電磁歪式超音波発生機、またはポールマン笛を有する乳化装置などである。上記の方法で分散した５〜１０質量％の分散物は高粘度或いはゲル状であり、保存安定性は極めて良好である。塗布液に添加する際は、水で希釈し十分攪拌した後添加する。
【００７９】
（再帰性反射ビーズ）
次に本発明の拡散転写フイルムユニットに用いられる再帰性光反射ビーズについて詳細に説明する。再帰性光反射とは、普通の反射とは異なり光がどのような方向から当たっても光原に向かってそのまま反射する反射方法である。
このような再帰性光反射を行うことができるビーズが本発明の拡散転写フイルムユニットに好ましく用いられる再帰性光反射ビーズであり、例えば、Ｎａ2Ｏ−ＣａＯ−ＳｉＯ2系ガラス、ＢａＯ−ＳｉＯ2−ＴｉＯ2系ガラス、ＢａＯ−ＺｎＯ−ＴｉＯ2系ガラス等があげられる。
本発明の再帰性光反射ビーズの形態はほぼ球形であり、好ましい粒径の範囲は０．１μｍ〜５０μｍであり、より好ましくは、０．５μｍ〜２０μｍであり、特に好ましくは１μｍ〜１０μｍである。
本発明の再帰性光反射ビーズの添加量は０．０１ｇ／ｍ2〜５０ｇ／ｍ2が好ましく、１ｇ／ｍ２〜１０ｇ／ｍ2がより好ましく、０．２ｇ／ｍ2〜５ｇ／ｍ2が特に好ましい。少なすぎる場合は十分に遮光層の黒色を遮蔽することができず、多すぎる場合は、転写進行を速めるという本発明の目的を達成できない。
光反射性微粒子含有層に含まれる再帰性光反射ビーズは、一種であっても、二種以上含まれていてもよい。
【００８０】
本発明の拡散転写フイルムユニットに用いる再帰性光反射ビーズの分散方法について述べる。水１００重量部に再帰性光反射ビーズ５〜１０重量添加し、分散機にかけて分散することができる。使用する分散機としては、機械的に接力を加えて分散する各種分散機を用いることができ、例えば、大きな剪断力を有する高速攪拌型分散機、高強度の超音波エネルギーを与える分散機などが挙げられる。好ましい分散機は、ボールミル、サンドグラインダーミル、ビスコミル、コロイドミル、ホモジナイザー、ディゾルバー、ポリトロン、ホモミキサー、ホモブレンダー、ケディミル、ジェットアジター、毛細管式乳化装置、液体サイレン、電磁歪式超音波発生機、またはポールマン笛を有する乳化装置などである。
【００８１】
（光反射性微粒子含有層）
本発明の拡散転写フイルムユニットにおいて、光反射性微粒子を含む層は拡散してくる色素が通過できることが好ましく、そのために、水溶性バインダーに分散することが好ましい。ゼラチンを用いるのが好ましく、それ以外の親水性コロイドも好ましく用いることができる。例えば、ゼラチン誘導体、ゼラチンと他の高分子とのグラフトポリマー、アルブミン、カゼイン等の蛋白質；ヒドロキシエチルセルロース、カルボキシメチルセルロース、セルロース硫酸エステル類等のセルロース誘導体、アルギン酸ソーダ、澱粉誘導体などの糖誘導体、ポリビニルアルコール、ポリビニルアルコール部分アセタール、ポリ≡Ｎ≡ビニルピロリドン、ポリアクリル酸、ポリメタクリル酸、ポリアクリルアミド等の単一あるいは共重合体の如き多種の合成親水性高分子物質を用いることができる。
【００８２】
ゼラチンとしては石灰処理ゼラチンのほか、酸処理ゼラチンを用いてもよく、ゼラチン加水分解物、ゼラチン酵素分散物も用いることができる。ゼラチン誘導体としては、ゼラチンに、例えば、酸ハライド、酸無水物、イソシアナート類、ブロモ酢酸、アルカンサルトン類、ビニルスルホンアミド類、マレインイミド化合物類、ポリアルキレンオキシド類、エポキシ化合物類等、種々の化合物を反応させて得られるものが好ましく用いられる。本発明の拡散転写フイルムユニットに用いられる光反射性微粒子のバインダー量は、光反射性微粒子１００重量部に対して、１〜１０００重量部が好ましく、より好ましくは５〜１００重量部、特に好ましくは１０〜５０重量部である。
【００８３】
本発明の光反射性微粒子を、バインダー中に分散する際に界面活性剤を使用することが好ましい。界面活性剤としてはいかなる界面活性剤も使用することができるが、ノニオン系の界面活性剤が好ましい。
【００８４】
次に本発明において用いられるノニオン系界面活性剤について説明する。ノニオン系界面活性剤としては、以下の一般式（Ｗ≡II）、（Ｗ≡III ）、（Ｗ≡IV）、（Ｗ≡Ｖ）、（Ｗ≡VI）および（Ｗ≡VII ）で表される化合物を用いることができる。
【００８５】
【化２８】
2006058501.tif 000030
【００８６】
Ｒ26およびＲ28は好ましくは炭素原子数１〜２０のアルキル基、フェニル基、ｐ≡クロロフェニル基等のアリール基、≡ＯＲ35（ここでＲ35は炭素原子数１〜２０のアルキル基またはアリール基を示し、これらの基は置換基を有するものも含まれる。以下同様である。）で表されるアルコキシ基およびアリールオキシ基、塩素原子、臭素原子等のハロゲン原子、≡ＣＯＲ35で表されるアシル基、≡ＮＲ36ＣＯＲ35（ここでＲ36は水素原子または炭素原子数１〜２０のアルキル基を示す。以下同様である。）で表されるアミド基、≡ＮＲ36ＳＯ2 Ｒ35で表されるスルホンアミド基、≡ＣＯＮ（Ｒ36）2 で表されるカルバモイル基または≡ＳＯ2 Ｎ（Ｒ36）2 で表されるスルファモイル基である。これらのうち、Ｒ26およびＲ28はさらに好ましくはアルキル基またはハロゲン原子であり、最も好ましくはｔ≡ブチル基、ｔ≡アミル基、ｔ≡オクチル基等の３級アルキル基である。Ｒ22、Ｒ23、Ｒ27およびＲ29は好ましくは水素原子または上記のＲ26およびＲ28の好ましいものとして挙げた基である。これらのうち、Ｒ27およびＲ29は特に水素原子が好ましい。Ｒ24およびＲ25は水素原子、アルキル基またはアリール基を表し、これらの基は置換基を有するものも含まれる。Ｒ24およびＲ25として特に好ましくは水素原子、炭素原子数１〜８のアルキル基、フェニル基、フリル基等である。Ｒ24とＲ25、Ｒ26とＲ27およびＲ28とＲ29は互いに連結して環、例えばシクロヘキシル環を形成してもよい。また、一般式（Ｗ≡VI）でフェニル環の置換基は左右非対称でもよい。Ｒ31は水素原子またはアルキル基を表し、このアルキル基は置換基を有するものも含まれる。Ｒ32は水素原子または炭素原子数１〜３０のアルキル基、アルケニル基、アリール基またはアラルキル基を表す。Ｒ32で表される各基は置換基を有するものも含まれ、置換基としては例えばアルキル基、アリール基、ハロゲン原子、アルコキシ基、アリールオキシ基、チオエーテル基、ポリオキシアルキルエーテル基等が挙げられる。Ｒ33は炭素原子数１〜１０のアルキレン基、ポリオキシアルキレン基または２価の芳香族基（例えばフェニレン基等）を表し、これらは置換基を有するものも含まれる。Ｒ34は炭素原子数１〜２０のアルキル基またはアリール基を表す。Ｒ34で表される各基は置換基を有するものも含まれ、置換基としては例えば、アルキル基、アリール基、ハロゲン原子、アルコキシ基、アリールオキシ基、チオエーテル基、ポリオキシアルキレンエーテル基等が挙げられる。ｎ11、ｎ12、ｎ13およびｎ14はエチレンオキサイドの平均付加モル数であって２〜５０の数であり、特に好ましくは５〜３０の数である。ｎ13とｎ14は同じでも異なってもよい。またｎ15は同じくエチレンオキサイドの平均付加モル数であって１〜１００の数である。ｍは２〜５０の整数、ｍ11およびｍ12は各々０〜２０の整数、ｐは０〜３０の整数である。これらの化合物は例えば米国特許第２，９８２，６５１号、同３，４２８，４５６号、同３，４５７，０７６号、同３，４５４，６２５号、同３，５５２，９７２号、同３，６５５，３８７号、特公昭５１≡９６１０号、特開昭５３≡２９７１５号、特開昭５４≡８９６２６号、特願昭５７≡８５７６４号、特願昭５７≡９０９０９号、堀口博著「新界面活性剤」（���共出版１９７５年）等に記載されている。一般式（Ｗ≡II）〜（Ｗ≡VII ）で表されるノニオン系界面活性剤のうち好ましく用いられるものは（Ｗ≡II）および（Ｗ≡III ）で表されるソルビタンエステル系化合物である。
次に本発明に好ましく用いられるノニオン系界面活性剤の具体例を示すが、本発明がこれらにより限定されるものではない。
【００８７】
【化２９】
2006058501.tif 000031
【００８８】
【化３０】
2006058501.tif 000032
【００８９】
【化３１】
2006058501.tif 000033
【００９０】
【化３２】
2006058501.tif 000034
【００９１】
【化３３】
2006058501.tif 000035
【００９２】
【化３４】
2006058501.tif 000036
【００９３】
【化３５】
2006058501.tif 000037
【００９４】
【化３６】
2006058501.tif 000038
【００９５】
【化３７】
2006058501.tif 000039
【００９６】
【化３８】
2006058501.tif 000040
【００９７】
【化３９】
2006058501.tif 000041
【００９８】
【化４０】
2006058501.tif 000042
【００９９】
これらの界面活性剤の添加量は特に限定されるものではないが、１×１０-5ｇ／ｍ2〜１ｇ／ｍ2が好ましく、１×１０-4ｇ／ｍ2〜１×１０-1ｇ／ｍ2はより好ましく、１×１０-3ｇ／ｍ2〜１×１０-2ｇ／ｍ2が特に好ましい。
【０１００】
光反射性微粒子含有層に含まれる光反射性微粒子は、一種であっても、二種以上含まれていてもよい。また、光反射性微粒子の効果を妨げなければ、界面活性剤以外にも適宜必要な化合物などを添加することができる。光反射性微粒子含有層の厚さに、特に制限はないが、０．１μｍ〜１０μｍが好ましい。
【０１０１】
以下に、本発明の拡散転写フイルムユニットを構成する各層の実施態様を説明するが、本発明はこれに限られるものではない。
【０１０２】
I．感光シート
【０１０３】
Ａ）白色光拡散層
本発明の拡散転写フイルムユニット中の感光シートの白色光拡散層は、色画像の白背景を成すものでよいが、通常、白色顔料と親水性バインダーを含むことが好ましい。
好ましい白色光拡散層用の白色顔料として、硫酸バリウム、酸化亜鉛、ステアリン酸バリウム、銀フレーク、ケイ酸塩類、アルミナ、酸化ジルコニウム、ジルコニウム硫酸ソーダ、カオリン、雲母、二酸化チタンなどが使用される。さらに、スチレンなどによりなる非造膜性のポリマー粒子なども使用される。また、これらは、単独で使用してもよく、好まれる反射率を得られる範囲で混合して用いることもできる。より好ましくは、二酸化チタンである。
【０１０４】
白色光拡散層の白色度は、顔料の種類、顔料とバインダーとの混合比率および顔料の塗布量によって変るが、光反射率が７０％以上であることが好ましい。
白色顔料として二酸化チタンを用いた場合は、二酸化チタンを５〜４０ｇ／ｍ2塗布することが好ましく、より好ましくは１０〜２５ｇ／ｍ2塗布し、光反射率が５４０ｎｍの波長の光で７８〜８５％を有する白色光拡散層が好ましい。二酸化チタンは、市販の種々の銘柄より選んで用いることができる。
この中でも特にルチル型の二酸化チタンを用いるのが特に好ましい。市販品の多くは、アルミナ、シリカや酸化亜鉛などで表面処理が行なわれており、高い反射率を得るには、表面処理量が５％以上のものが好ましい。市販されている二酸化チタンとしては、例えば、デュポン社の Ti−pure R931（商品名）の他、リサーチ・ディスクロージャー誌１５１６２号に記載のものがある。
【０１０５】
白色光拡散層のとしては、アルカリ浸透性の高分子マトリックス、例えばゼラチン、ポリビニルアルコール、またはヒドロキシエチルセルロースもしくはカルボキシルメチルセルロースのようなセルロース誘導体が使用できる。バインダーとしてゼラチンを用いた場合、白色顔料とゼラチンの質量比は、１／１〜２０／１、好ましくは５／１〜１０／１である。
白色光拡散層中には、特公昭６２−３０６２０号公報や同６２−３０６２１号公報のような褪色防止剤を組み込むことが好ましい。
【０１０６】
Ｂ）遮光層
前記白色光拡散層と下記感光層の間には遮光剤および親水性バインダーを含む遮光層を設ける。遮光剤としては、遮光機能を有する材料のいずれも用いられるが、カーボンブラックが好ましく用いられる。また米国特許第４，６１５，９６６号公報等に記載の分解性の染料を用いてもよい。遮光剤を塗設するバインダーとしてはカーボンブラックを分散しうるものならいずれでもよく、好ましくはゼラチンである。カーボンブラック原料としては、例えば Donnel Voet Carbon Black MarcelDekker，Inc. （１９７６）に記載されているようなチャンネル法、サーマル法及びファーネス法など任意の製法のものが使用できる。カーボンブラックの粒径は特に限定されないが９０〜１８００オングストロームのものが好ましい。遮光剤としての黒色顔料の添加量は遮光すべき感光材料の感度に応じて量を調節すればよいが、光学濃度で５〜１０程度が好ましい。
本発明に用いられる遮光層の厚さは特に制限されるものではない。
【０１０７】
Ｃ）支持体
本発明に用いられる感光シートの支持体は写真感光材料に通常用いられる平滑な透明支持体なら、いずれでも用いられ、酢酸セルロース、ポリスチレン、ポリエチレンテレフタレート、ポリカーボネートなどが用いられ、下塗り層（下引層）を設けるのが好ましい。支持体は通常ライトパイピングを防止するため微量の染料または酸化チタンの如き顔料を含有しているのが好ましい。感光シートの支持体の厚さは２５〜３５０μｍ、好ましくは５０〜２１０μｍ、更に好ましくは７０〜１５０μｍである。必要に応じて支持体のバック側にはカールバランスをとる層または特開昭５６−７８８３３号公報に記載の酸素遮断性の層をつけることができる。
【０１０８】
Ｄ）受像層
本発明に用いられる感光シートの受像層（染料受像層）は親水性コロイド中に媒染剤を含むものなどである。これは単一の層であっても、また媒染力の異なる媒染剤が重ねて塗設された多層構成のものでもよい。これらについては特開昭６１−２５２５５１号公報に記載されている。媒染剤としては、ポリマー媒染剤が好ましい。
ポリマー媒染剤とは二級および三級アミノ基を含むポリマー、含窒素複素環部分をもつポリマー、および四級カチオンを含むポリマーなどで分子量が５，０００以上のもの、特に好ましくは１０，０００以上のものである。媒染剤の塗設量は、一般的には０．５〜１０ｇ／ｍ2好ましくは１．０〜５．０ｇ／ｍ2特に好ましくは２〜４ｇ／ｍ2である。
【０１０９】
感光シートの受像層に使用する親水性コロイドとしては、ゼラチン、ポリビニルアルコール、ポリアクリルアミド、ポリビニルピロリドンなどが使用されるがゼラチンが好ましい。
受像層中には、特開昭６２−３０６２０号公報や同６２−３０６２１号公報、特開昭６２−２１５２７２号公報記載の退色防止剤を組み込むことができる。
本発明に用いられる受像層の厚さは特に制限されるものではない。
【０１１０】
Ｅ）感光層
本発明においては、前記遮光層に隣接して、色素像形成物質（色素像形成化合物）と組合わされた少なくとも１つハロゲン化銀乳剤層から成る感光層を設ける。以下、その構成要素について述べる。
【０１１１】
（１）色素像形成化合物
色素像形成化合物の具体例は下記の文献に記載されている。
イエロー色素の例：
米国特許３，５９７，２００号公報、同３，３０９，１９９号公報、同４，０１３，６３３号公報、同４，２４５，０２８号公報、同４，１５６，６０９号公報、同４，１３９，３８３号公報、同４，１９５，９９２号公報、同４，１４８，６４１号公報、同４，１４８，６４３号公報、同４，３３６，３２２号公報、特開昭５１−１１４９３０号公報、同５６−７１０７２号公報、Research Disclosure １７６３０（１９７８）号、及び同１６４７５（１９７７）号に記載されているもの。
【０１１２】
マゼンタ色素の例：
米国特許３，４５３，１０７号公報、同３，５４４，５４５号公報、同３，９３２，３８０号公報、同３，９３１，１４４号公報、同３，９３２，３０８号公報、同３，９５４，４７６号公報、同４，２３３，２３７号公報、同４，２５５，５０９号公報、同４，２５０，２４６号公報、同４，１４２，８９１号公報、同４，２０７，１０４号公報、同４，２８７，２９２号公報、特開昭５２−１０６７２７号公報、同５３−２３６２８号公報、同５５−３６８０４号公報、同５６−７３０５７号公報、同５６−７１０６０号公報、同５５−１３４号公報、特開平７−１２０９０１号公報、同８−２８６３４３号公報、同８−２８６３４４号公報、及び同８−２９２５３７号公報に記載されているもの。
【０１１３】
シアン色素の例：
米国特許３，４８２，９７２号公報、同３，９２９，７６０号公報、同４，０１３，６３５号公報、同４，２６８，６２５号公報、同４，１７１，２２０号公報、同４，２４２，４３５号公報、同４，１４２，８９１号公報、同４，１９５，９９４号公報、同４，１４７，５４４号公報、同４，１４８，６４２号公報；英国特許１，５５１，１３８号公報；特開昭５４−９９４３１号公報、同５２−８８２７号公報、同５３−４７８２３号公報、同５３−１４３３２３号公報、同５４−９９４３１号公報、同５６−７１０６１号公報；ヨーロッパ特許（ＥＰ）５３，０３７号公報、同５３，０４０号公報；Research Disclosure １７，６３０（１９７８）号、及び同１６，４７５（１９７７）号に記載されているもの。
【０１１４】
カップリングにより色素を形成する色素像形成化合物も使用できる。例えば特開平８−２８６３４０号公報、同９−１５２７０５号公報、特願平８−３５７１９０号公報、同８−３５７１９１号公報、同９−１１７５２９号公報などに記載されている。
また、ポジ型の色素像形成化合物も使用できる。この場合、ハロゲン化銀乳剤はネガ型ハロゲン化銀乳剤を使用すればよい。この例として、特開平４−１５６５４２号公報、同４−１５５３３２号公報、同４−１７２３４４号公報、同４−１７２４５０号公報、同４−３１８８４４号公報、同３５６０４６号公報、同５−４５８２４号公報、同５−４５８２５号公報、同５−５３２７９号公報、同５−１０７７１０号公報、同５−２４１３０２号公報、同５−１０７７０８号公報、同５−２３２６５９号公報、及び米国特許第５，１９２，６４９号公報に記載されている。
【０１１５】
これらの化合物は、特開昭６２−２１５２７２号公報１４４〜１４６頁記載の方法で分散することができる。またこれらの分散物には、特開昭６２−２１５２７２号公報１３７〜１４４頁記載の化合物を含ませてもよい。これらの色素像形成化合物の具体例としては、以下の化合物が挙げられる。下記の化合物中のＤｙｅは、色素基、一時的に短波化された色素基、又は色素前駆体基を表す。
【０１１６】
【化４１】
2006058501.tif 000043
【０１１７】
【化４２】
2006058501.tif 000044
【０１１８】
【化４３】
2006058501.tif 000045
【０１１９】
（２）ハロゲン化銀乳剤
本発明に用いられるハロゲン化銀乳剤は、例えば塩化銀、臭化銀、沃臭化銀、塩臭化銀、塩沃化銀、塩沃臭化銀でよく、主にハロゲン化銀粒子表面に潜像を形成するネガ型ハロゲン化銀乳剤、またはハロゲン化銀粒子内部に潜像を形成する内部潜像型直接ポジ乳剤が好ましい。
【０１２０】
ハロゲン化銀粒子表面に潜像を形成するネガ型乳剤は、粒子内部と粒子表層が異なる相を持ったいわゆるコアシェル乳剤であってもよく、またエピタキシャル接合によって組成の異なるハロゲン化銀が接合されていてもよい。ハロゲン化銀乳剤は単分散でも多分散でもよく、特開平１−１６７７４３号、同４−２２３４６３号記載のように単分散乳剤を混合し、階調を調節する方法も用いられる。
【０１２１】
ハロゲン化銀粒子の晶癖は立方体、八面体、十四面体のような規則的な結晶を有するもの、球状、高アスペクト比の平板状のような変則的な結晶系を有するもの、双晶面のような結晶欠陥を有するもの、あるいはそれらの複合系その他のいずれでもよい。
【０１２２】
具体的には、米国特許第４，５００，６２６号第５０欄、同４，６２８，０２１号、リサーチ・ディスクロージャー誌（以下ＲＤと略記する）No． １７，０２９（１９７８年）、同No． １７，６４３（１９７８年１２月）２２〜２３頁、同No． １８，７１６（１９７９年１１月）６４８頁、同No． ３０７，１０５（１９８９年１１月）８６３〜８６５頁、特開昭６２−２５３１５９号、同６４−１３５４６号、特開平２−２３６５４６号、同３−１１０５５５号及びグラフキデ著「写真の物理と化学」、ポールモンテ社刊（P．Glafkides，Chemie et Pisique Photographique，Paul Montel，1967）、ダフィン著「写真乳剤化学」、フォーカルプレス社刊（G．F．Duffin，Photographic Emulsion Chemistry，Focal Press，1966）、ゼリクマンら著「写真乳剤の製造と塗布」、フォーカルプレス社刊（V．L．Zelikman et al．，Making and Coating Photographic Emulsion，Focal Press，1964）等に記載されている方法を用いて調製したハロゲン化銀乳剤のいずれもが使用できる。
【０１２３】
感光性ハロゲン化銀乳剤を調製する過程で、過剰の塩を除去するいわゆる脱塩を行うことが好ましい。このための手段として、ゼラチンをゲル化させて行うヌーデル水洗法を用いてもよく、また多価アニオンより成る無機塩類（例えば硫酸ナトリウム）、アニオン性界面活性剤、アニオン性ポリマー（例えばポリスチレンスルホン酸ナトリウム）、あるいはゼラチン誘導体（例えば脂肪族アシル化ゼラチン、芳香族アシル化ゼラチン、芳香族カルバモイル化ゼラチンなど）を利用した沈降法を用いてもよい。沈降法が好ましく用いられる。
【０１２４】
本発明で使用する感光性ハロゲン化銀乳剤は、例えば、種々の目的でイリジウム、ロジウム、白金、カドミウム、亜鉛、タリウム、鉛、鉄、オスミウムなどの重金属を含有させてもよい。これらの化合物は、単独で用いてもよいしまた２種以上組み合わせて用いてもよい。添加量は、使用する目的によるが一般的には、ハロゲン化銀１モルあたり１０-9〜１０-3モル程度である。また含有させる時には、粒子に均一に入れてもよいし、また粒子の内部や表面に局在させてもよい。具体的には、特開平２−２３６５４２号、同１−１１６６３７号、同５−１８１２４６号等に記載の乳剤が好ましく用いられる。
【０１２５】
感光性ハロゲン化銀乳剤の粒子形成段階において、ハロゲン化銀溶剤としてロダン塩、アンモニア、４置換チオエーテル化合物や特公昭４７−１１３８６号記載の有機チオエーテル誘導体または特開昭５３−１４４３１９号に記載されている含硫黄化合物等を用いることができる。
【０１２６】
その他の条件については、前記のグラフキデ著「写真の物理と化学」ポールモンテ社刊（P．Glafkides，Chemie et Pisique Photographique，Paul Montel，1967）、ダフィン著「写真乳剤化学」、フォーカルプレス社刊（G．F．Duffin，Photographic Emulsion Chemistry，Focal Press，1966）、ゼリクマンら著「写真乳剤の製造と塗布」、フォーカルプレス社刊（V．L．Zelikman et al．，Making and Coating Photographic Emulsion，Focal Press，1964）等の記載を参照すればよい。すなわち酸性法、中性法、アンモニア法のいずれでもよく、また可溶性銀塩と可溶性ハロゲン塩を反応させる形式としては片側混合法、同時混合法、それらの組み合わせのいずれを用いてもよい。単分散乳剤を得るためには、同時混合法が好ましく用いられる。粒子を銀イオン過剰の下において形成させる逆混合法も用いることができる。同時混合法の一つの形式としてハロゲン化銀の生成される液相中のｐＡｇを一定に保つ、いわゆるコントロールド・ダブルジェット法も用いることができる。
【０１２７】
また、粒子成長を早めるために、添加する銀塩およびハロゲン塩の添加濃度、添加量、添加速度を上昇させてもよい（特開昭５５−１４２３２９号、同５５−１５８１２４号、米国特許３６５０７５７号等）。さらに反応液の攪拌方法は、常用のいずれの攪拌方法でもよい。またハロゲン化銀粒子形成中の反応液の温度、ｐＨは、目的に応じてどのように設定してもよい。好ましいｐＨ範囲は２．３〜８．５、より好ましくは２．５〜７．５である。
【０１２８】
感光性ハロゲン化銀乳剤は、通常、化学増感されたハロゲン化銀乳剤である。
感光性ハロゲン化銀乳剤の化学増感には、通常型感光材料用乳剤で公知の硫黄増感法、セレン増感法、テルル増感法などのカルコゲン増感法、金、白金、パラジウムなどを用いる貴金属増感法および還元増感法などを単独又は組合わせて用いることができる（例えば特開平３−１１０５５５号、同５−２４１２６７号など）。これらの化学増感を含窒素複素環化合物の存在下で行うこともできる（特開昭６２−２５３１５９号）。またカブリ防止剤を化学増感終了後に添加することができる。具体的には、特開平５−４５８３３号、特開昭６２−４０４４６号記載の方法を用いることができる。本発明に用いられる一般式（Ａ）で表されるカブリ防止剤は、化学増感の終了時に添加するのが好ましい。
【０１２９】
化学増感時のｐＨは、好ましくは５．３〜１０．５、より好ましくは５．５〜８．５であり、ｐＡｇは好ましくは６．０〜１０．５、より好ましくは６．８〜９．０である。本発明において使用される感光性ハロゲン化銀の塗設量は、銀換算１mg／m2〜１０ｇ／m2の範囲であり、好ましくは、１０mg／m2〜１０ｇ／m2である。
【０１３０】
本発明に用いられる感光性ハロゲン化銀に緑感性、赤感性、青感性の感色性を持たせるためには、感光性ハロゲン化銀乳剤をメチン色素類その他によって分光増感する。また、必要に応じて赤外感性の分光増感を施してもよい。
【０１３１】
用いられる色素には、シアニン色素、メロシアニン色素、複合シアニン色素、複合メロシアニン色素、ホロポーラーシアニン色素、ヘミシアニン色素、スチリル色素およびヘミオキソノール色素が包含される。具体的には、米国特許第４，６１７，２５７号、特開昭５９−１８０，５５０号、同６４−１３５４６号、特開平５−４５８２８号、同５−４５８３４号などに記載の増感色素が挙げられる。これらの増感色素は単独に用いてもよいが、それらの組み合わせを用いてもよく、増感色素の組み合せは特に、強色増感や分光増感の波長調節の目的でしばしば用いられる。
【０１３２】
増感色素とともに、それ自身分光増感作用を持たない色素あるいは可視光を実質的に吸収しない化合物であって、強色増感を示す化合物を乳剤中に含んでもよい（例えば米国特許第３，６１５，６４１号、特開昭６３−２３１４５号等に記載のもの）。これらの増感色素を乳剤中に添加する時期は化学熟成時もしくはその前後でもよいし、米国特許第４，１８３，７５６号、同４，２２５，６６６号に従ってハロゲン化銀粒子の核形成前後でもよい。またこれらの増感色素や強色増感剤は、メタノールなどの有機溶媒の溶液、ゼラチンなどの分散物あるいは界面活性剤の溶液で添加すればよい。添加量は一般にハロゲン化銀１モル当り１０-8〜１０-2モル程度である。
【０１３３】
内部潜像型直接ポジ乳剤には、例えば、ハロゲン化銀の溶解度差を利用してつくる、いわゆる「コンバージョン型」乳剤や、金属イオンをドープするか、もしくは化学増感するか、又はその両方を施したハロゲン化銀の内部核（コア）粒子の少なくとも感光サイトをハロゲン化銀の外部殻（シェル）で被覆してなる「コア／シェル型」乳剤等があり、これについては、米国特許２，５９２，２５０号、同３，２０６，３１３号、英国特許１，０２７，１４６号、米国特許３，７６１，２７６号、同３，９３５，０１４号、同３，４４７，９２７号、同２，２９７，８７５号、同２，５６３，７８５号、同３，５５１，６６２号、同４，３９５，４７８号、西独特許２，７２８，１０８号、米国特許４，４３１，７３０号などに記載されている。
【０１３４】
また、内部潜像型直接ポジ乳剤を用いる場合には、像露光後に光もしくは造核剤を用いて表面かぶり核を与える必要がある。そのための造核剤としては、米国特許２，５６３，７８５号、同２，５８８，９８２号に記載されたヒドラジン類、米国特許３，２２７，５５２号に記載されたヒドラジン類、ヒドラゾン類、英国特許１，２８３，８３５号、特開昭５２−６９６１３号、米国特許３，６１５，６１５号、同３，７１９，４９４号、同３，７３４，７３８号、同４，０９４，６８３号、同４，１１５，１２２号等に記載された複素環４級塩化合物、米国特許３，７１８，４７０号に記載された造核作用のある置換基を色素分子中に有する増感色素、米国特許４，０３０，９２５号、同４，０３１，１２７号、同４，２４５，０３７号、同４，２５５，５１１号、同４，２６６，０１３号、同４，２７６，３６４号、英国特許２，０１２，４４３号等に記載されたチオ尿素結合型アシルヒドラジン系化合物、及び米国特許４，０８０，２７０号、同４，２７８，７４８号、英国特許２，０１１，３９１Ｂ等に記載されたチオアミド環やトリアゾール、テトラゾール等のヘテロ環基を吸着基として結合したアシルヒドラジン系化合物などが用いられる。
【０１３５】
本発明ではこれらネガ型乳剤及び内部潜像型直接ポジ乳剤と組合わせて、分光増感色素を用いることができる。その具体例については、特開昭５９−１８０５５０号、同６０−１４０３３５号、リサーチ・ディスクロージャー（ＲＤ）１７０２９、米国特許１，８４６，３００号、同２，０７８，２３３号、同２，０８９，１２９号、同２，１６５，３３８号、同２，２３１，６５８号、同２，９１７，５１６号、同３，３５２，８５７号、同３，４１１，９１６号、同２，２９５，２７６号、同２，４８１，６９８号、同２，６８８，５４５号、同２，９２１，０６７号、同３，２８２，９３３号、同３，３９７，０６０号、同３，６６０，１０３号、同３，３３５，０１０号、同３，３５２，６８０号、同３，３８４，４８６号、同３，６２３，８８１号、同３，７１８，４７０号、同４，０２５，３４９号等に記載されている。
【０１３６】
（３）感光層の構成
減色法による天然色の再現には、上記分光増感色素により分光増感された乳剤と同波長範囲に選択的な分光吸収をもつ色素を供与する前記色素像形成化合物との組み合わせの少なくとも二つからなる感光層を用いる。
乳剤と色素像形成化合物とは別層として重ねて塗設してもよいし、また混合し一層として塗設してもよい。前記色素像形成化合物が塗布された状態で、これと組合わされた乳剤の分光感度域に吸収を持つ場合には別層の方が好ましい。また乳剤層は複数の、感度の異なる乳剤層からなるものでもよく、また乳剤層と色素像形成化合物層との間に任意の層を設けてもよい。例えば、特開昭６０−１７３５４１号公報に記載された造核現像促進剤を含む層、特公昭６０−１５２６７号公報に記載された隔壁層を設けて色像濃度を高めたり、また反射層を設け感光要素の感度をたかめることも出来る。
【０１３７】
このような反射層としては、白色顔料および親水性バインダーを含む層であり、好ましくは白色顔料は酸化チタン、親水性バインダーはゼラチンである。酸化チタンの塗布量は０．１ｇ／ｍ2〜８ｇ／ｍ2が好ましく、より好ましくは０．２ｇ／ｍ2〜４ｇ／ｍ2である。反射層の例としては特開昭６０−９１３５４号公報に記載がある。
【０１３８】
本発明における感光層の重層構成では、露光側から青感性乳剤の組合わせ単位、緑感性乳剤の組合わせ単位、赤感性乳剤の組合わせ単位が順次配置されることが好ましい。各乳剤層単位の間には必要に応じて任意の層を設ける事ができる。特にある乳剤層の現像の効果が他の乳剤層単位に及ぼす好ましくない影響を防ぐため、中間層を設置するのが好ましい。
本発明は必要に応じて、イラジエーション防止層、ＵＶ吸収剤層、保護層などが塗設される。
本発明における感光層の厚さは特に制限されるものではない。
【０１３９】
II．透明カバーシート
本発明におけるカラー拡散転写フィルムユニットでは、透明カバーシート上に中和機能をもたせる事が好ましい。
Ｆ）支持体
本発明に用いられるカバーシートの支持体は、写真感光材料に通常用いられる平滑な透明支持体なら、いずれでも用いられ、酢酸セルロース、ポリスチレン、ポリエチレンテレフタレート、ポリカーボネートなどが用いられ、下塗り層を設けるのが好ましい。支持体には、ライトパイピングを防止するため微量の染料を含有しているのが好ましい。
【０１４０】
Ｇ）中和機能を有する層
本発明に用いられる中和機能を有する層（中和層）は、後述のアルカリ処理組成物から持込まれるアルカリを中和するのに十分な量の酸性物質を含む層であり、必要に応じて、中和速度調節層（中和タイミング層）、密着強化層等の層から成る多層構成のものでもよい。
好ましい酸性物質としてはｐＫａ９以下の酸性基（もしくは加水分解によってそのような酸性基を与える前駆体基）を含む物質であり、さらに好ましくは米国特許２，９８３，６０６号公報に記載されているオレイン酸のような高級脂肪酸、米国特許３，３６２，８１９号公報に開示されているようなアクリル酸、メタアクリル酸もしくはマレイン酸の重合体とその部分エステルまたは酸無水物；仏国特許２，２９０，６９９号公報に開示されているようなアクリル酸とアクリル酸エステルの共重体；米国特許４，１３９，３８３号公報やリサーチ・ディスクロージャ（Research Disclosure)Ｎｏ．１６１０２（１９７７）に開示されているようなラテックス型の酸性ポリマーを挙げることができる。その他、米国特許４，０８８，４９３号公報、特開昭５２−１５３７３９号公報、同５３−１０２３号公報、同５３−４５４０号公報、同５３−４５４１号公報、同５３−４５４２号公報等に開示の酸性物質も挙げることができる。
【０１４１】
上記酸性物質である酸性ポリマー（ポリマー酸）の具体例としては、エチレン、酢酸ビニル、ビニルメチルエーテル等のビニルモノマーと、無水マレイン酸との共重合体及びそのｎ−ブチルエステル、ブチルアクリレートとアクリル酸との共重合物、セルロース、アセテート・ハイドロジエンフタレート等を挙げることができる。
【０１４２】
前記酸性ポリマーは、親水性ポリマーと混合して用いることができる。このような親水性ポリマーとしては、ポリアクリルアミド、ポリメチルピロリドン、ポリビニルアルコール（部分ケン化物も含む）、カルボキシメチルセルロース、ヒドロキシメチルセルロース、ヒドロキシエチルセルロース、ポリメチルビニルエーテルなどである。なかでも、ポリビニルアルコールが好ましい。
また、前記酸性ポリマーに親水性ポリマー以外のポリマー、例えばセルロースアセテートなどを混合してもよい。
【０１４３】
前記ポリマー酸の塗布量は、後述のアルカリ処理組成物のアルカリの量により調節される。単位面積当りのポリマー酸とアルカリの当量比は０．９〜２．０が好ましい。ポリマー酸の量が少なすぎると、転写色素の色相が変化したり、白地部分にステインを生じ、又多過ぎる場合にも色相の変化、あるいは耐光性の低下などの不都合を生じる。さらに好ましい当量比は１．０〜１．３である。混合する親水性ポリマーの量も多すぎても少なすぎても写真の品質を低下させる。親水性ポリマーのポリマー酸に対する質量比は０．０１〜１０、好ましくは０．１〜３．０である。
【０１４４】
本発明における中和機能を有する層には、種々の目的で添加剤を組込むことができる。たとえば、この層の硬膜を行うために当業者で周知の硬膜剤、また膜の脆性を改良するためにポリエチレングリコール、ポリプロピレングリコール、グリセリンなどの多価ヒドロキシル化合物を添加することができる。その他必要に応じて、酸化防止剤、蛍光増白剤、現像抑制剤およびその前駆体などを添加することもできる。
【０１４５】
本発明において、中和層と組合わせて用いる中和タイミング層は、例えば、ゼラチン、ポリビニルアルコール、ポリビニルアルコールの部分アセタール化物、酢酸セルロース、部分的に加水分解されたポリ酢酸ビニルなどのようなアルカリ透過性を低くするポリマー、アクリル酸モノマーなどの親水性コモノマーを少量共重合させてつくられたアルカリ透過の活性化エネルギーを高くするラテックスポリマー、またはラクトン環を有するポリマーなどが有用である。
【０１４６】
なかでも、特開昭５４−１３６３２８号公報、米国特許４，２６７，２６２号公報、同４，００９，０３０号公報、同４，０２９，８４９号公報等に開示されている酢酸セルロースを使用したタイミング層、特開昭５４−１２８３３５号公報、同５６−６９６２９号公報、同５７−６８４３号公報、米国特許４，０５６，３９４号公報、同４，０６１，４９６号公報、同４，１９９，３６２号公報、同４，２５０，２４３号公報、同４，２５６，８２７号公報、同４，２６８，６０４号公報等に開示されている、アクリル酸などの親水性コモノマーを少量共重合させてつくられたラテックスポリマー、特開平１１−２８９０号に開示されている、多価アルコールのモノアクリル酸エステルもしくはモノメタクリル酸エステルを有するポリマー、米国特許４，２２９，５１６号公報に開示されたラクトン環を有するポリマー、その他特開昭５６−２５７３５号公報、同５６−９７３４６号公報、同５７−６８４２号公報、ヨーロッパ特許（ＥＰ）３１，９５７Ａ１号公報、同３７，７２４Ａ１号公報、同４８，４１２Ａ１号公報などに開示されたポリマーが特に有用である。
【０１４７】
その他、以下の文献に記載のものも使用できる。
米国特許３，４２１，８９３号公報、同３，４５５，６８６号公報、同３，５７５，７０１号公報、同３，７７８，２６５号公報、同３，７８５，８１５号公報、同３，８４７，６１５号公報、同４，０８８，４９３号公報、同４，１２３，２７５号公報、同４，１４８，６５３号公報、同４，２０１，５８７号公報、同４，２８８，５２３号公報、同４，２９７，４３１号公報、西独特許出願（ＯＬＳ）１，６２２，９３６号公報、同２，１６２，２７７号公報、Research Disclosure １５１６２，Ｎｏ． １５１（１９７６年）。
これらの素材を用いた中和タイミング層は単独層もしくは二種以上の層の併用として使用しうる。
【０１４８】
また、これらの素材からなる中和タイミング層に、例えば米国特許４，００９，０２９号公報、西独特許出願（ＯＬＳ）２，９１３，１６４号公報、同３，０１４，６７２号公報、特開昭５４−１５５８３７号公報、同５５−１３８７４５号公報などに開示された現像抑制剤および／もしくはそのプレカーサーや、また、米国特許４，２０１，５７８号公報に開示されているハイドロキノンプレカーサー、その他有用な写真用添加剤もしくはそのプレカーサーなどを組み込むことも可能である。さらには、上記中和機能を有する層として、特開昭６３−１６８６４８号公報、同６３−１６８６４９号公報に記載の如く補助中和層を設けることが処理後経時による転写濃度の変化を少なくするという点において効果がある。
【０１４９】
Ｈ）その他
本発明におけるカバーシートは、中和機能を有する層の他に、補助的な機能を持つ層として、バック層、保護層、フィルター染料層などを有してもよい。
バック層は、カールの調整や、滑り性の付与の為に設けられる。フィルター染料はこの層に添加してもよい。
保護層は、主としてカバーシートバック面との接着、感光材料とカバーシートとを重ね合わせたときの感光材料保護層との接着を防止する為に用いられる。カバーシートに染料を含有させて感光層の感度調整を行う事もできる。
フィルター染料は、直接カバーシートの支持体中や中和機能を有する層、さらには前記のバック層、保護層、捕獲媒染層などに添加してもよいし、単独の層を設置してもよい。
【０１５０】
III．アルカリ処理組成物
本発明における、アルカリ処理組成物は、感光シート（感光要素）の露光後に感光要素上に均一に展開され、前記（Ａ）支持体の背面あるいは感光層中の処理液と反対側に設置されて遮光層と対になって、感光層を外光から完全に遮断し、同時に、その含有する成分によって感光層の現像を行うものである。このために、組成物中には、アルカリ、増粘剤、遮光剤、現像薬、更に、現像を調節するための、現像促進剤、現像抑制剤、現像薬の劣化を防ぐための酸化防止剤などを含有する。遮光のために組成物中には遮光剤は必ず含まれる。
【０１５１】
また、これらのアルカリ処理組成物は展開厚（処理液転写後のｍ2当りの処理液量）が１０μｍ〜２００μｍで感光要素上に展開されることが好ましい。なお感光要素を処理する場合の処理温度は０〜５０℃が好ましく、０〜４０℃がより好ましい。
【０１５２】
前記アルカリは液のｐＨを１２以上とするに足りるものであり、アルカリ金属の水酸化物（例えば水酸化ナトリウム、水酸化カリウム、水酸化リチウム）、アルカリ金属のリン酸塩（例えばリン酸カリウム）、グアニジン類、四級アミンの水酸化物（例えば水酸化テトラメチルアンモニウムなど）が挙げられるが、なかでも水酸化カリウム、水酸化ナトリウムが好ましい。
【０１５３】
前記増粘剤は、処理組成物を均一に展開するために、また感光層／カバーシート間の密着を保つために必要である。例えば、ポリビニルアルコール、ヒドロキシエチルセルロース、カルボキシメチルセルロースのアルカリ金属塩が用いられ、好ましくは、ヒドロキシエチルセルロース、ナトリウムカルボキシメチルセルロースが用いられる。前記遮光剤としては、染料受像層まで拡散しステインを生じるものでなければ染料あるいは顔料のいずれでも、またそれらの組合わせでも用いることができる。代表的な物としてカーボンブラックが挙げられる。
【０１５４】
好ましい前記現像薬は、色素像形成化合物をクロス酸化し、かつ酸化されても実質的にステインを生じないものであればどのようなものでも使用できる。このような現像薬は単独でもまた二種類以上を併用してもよく、またプレカーサーの型で使用してもよい。これらの現像薬は前記感光シートの適当な層に含ませても、またアルカリ処理組成物中に含ませてもよい。具体的化合物としてはアミノフェノール類、ピラゾリジノン類が挙げられるが、このうちピラゾリジノン類がステインの発生が少ないため特に好ましい。例えば、１−フェニル−３−ピラゾリジノン、１−ｐ−トリル−４，４−ジヒドロキシメチル−３−ピラゾリジノン、１−（３−メチル−フェニル）−４−メチル−４−ヒドロキシメチル−３−ピラゾリジノン、１−フェニル−４−メチル−４−ヒドロキシメチル−３−ピラゾリジノン、１−ｐ−トリル−４−メチル−４−ヒドロキシメチル−３−ピラゾリジノンなどが挙げられる。
【０１５５】
感光シート、カバーシートあるいはアルカリ処理組成物のいずれかに特開昭６２−２１５２７２号７２〜９１頁記載の現像促進剤、１４６〜１５５頁記載の硬膜剤、２０１〜２１０頁記載の界面活性剤、２１０〜２２２頁記載の含フッ素化合物、２２５〜２２７頁記載の増粘剤、２２７〜２３０頁記載の帯電防止剤、２３０〜２３９頁記載のポリマーラテックス、２４０頁記載のマット剤などを含むことができる。また特開平６−２７３９０７号公報、特開平７−１３４３８６号公報、特開平７−１７５１９３号公報、特開平７−２８７３７２号公報に記載の３級アミンラテックスを含むことができる。
本発明の拡散転写フイルムユニットの厚さは特に制限されるものではない。
【０１５６】
本発明における色素像形成化合物が用いられる熱現像カラー感光材料（色素固定要素）及び適用される露光・加熱方法ならびに装置の詳細については、例えば特開平７−２１９１８０号公報の〔０１２８〕〜〔０１５９〕に記載されている。好ましい露光方法は、複数個の特定波長域で発光する異なる光源を有する露光ヘッドを用いて露光する方法である。
【実施例】
【０１５７】
以下に本発明を実施例に基づきさらに詳細に説明するが、本発明はこれらに限定されるものではない。
（実施例１）
１．感光シートの作製
まず、以下の表１〜表４の組成の感光要素（感光シート−１０１）を作製した。表中の乳剤は表５に示す方法で調製した。
【０１５８】
【表１】
2006058501.tif 000046
【０１５９】
【表２】
2006058501.tif 000047
【０１６０】
【表３】
2006058501.tif 000048
【０１６１】
【表４】
2006058501.tif 000049
【０１６２】
【表５】
2006058501.tif 000050
【０１６３】
乳剤調製に用いた化合物をまとめて以下に示す。
【０１６４】
【化４４】
2006058501.tif 000051
【０１６５】
【化４５】
2006058501.tif 000052
【０１６６】
【化４６】
2006058501.tif 000053
【０１６７】
【化４７】
2006058501.tif 000054
【０１６８】
感光要素（感光シート−１０１）の作製に使用した化合物を以下に示す。
【０１６９】
【化４８】
2006058501.tif 000055
【０１７０】
【化４９】
2006058501.tif 000056
【０１７１】
【化５０】
2006058501.tif 000057
【０１７２】
【化５１】
2006058501.tif 000058
【０１７３】
【化５２】
2006058501.tif 000059
【０１７４】
【化５３】
2006058501.tif 000060
【０１７５】
【化５４】
2006058501.tif 000061
【０１７６】
【化５５】
2006058501.tif 000062
【０１７７】
【化５６】
2006058501.tif 000063
【０１７８】
【化５７】
2006058501.tif 000064
【０１７９】
２．カバーシートの作製
厚さ７５μｍのポリエチレンテレフタレート透明支持体透明体に表６に示すような層構成にて塗布を行い、カバーシート１０１を作成した。
【０１８０】
【表６】
2006058501.tif 000065
【０１８１】
以下にカバーシート中で用いられた化合物の化学構造式等を示す。
【０１８２】
【化５８】
2006058501.tif 000066
【０１８３】
【化５９】
2006058501.tif 000067
【０１８４】
３．アルカリ処理組成物の作製
次に、下記の組成のアルカリ処理組成物(処理液１０１)を作製した。
カーボンブラック（大日精化（株）製）      ２２４．３ｇ
添加剤（２３）                            １２．１ｇ
カルボキシメチルセルロースＮａ塩          ４３．０ｇ
亜硫酸カリウム（無水）                    １．９０ｇ
１−フェニル−４−ヒドロキシメチル−４−メチル−３−ピラゾリドン
１３．６ｇ
水酸化カリウム                            ５２．７ｇ
硝酸亜鉛                                  ０．６０ｇ
水                                        合計１ｋｇになる量を添加
上記組成の処理液を０．３ｇずつ、圧力で破壊可能な容器に充填した。
【０１８５】
【化６０】
2006058501.tif 000068
【０１８６】
感光シート１０１の第３層（中間層、表４参照）を以下の表７に示す層に変更した以外は前記感光シート１０１と同様にして、感光シート１０２〜１０５を作成した。
【０１８７】
【表７】
2006058501.tif 000069
【０１８８】
※１  金属微粒子：住友電気工業株式会社製  銀インク（水分散物）
（平均粒径  ３０ｎｍ、塗布量は銀換算で記載）
※２  高分子界面活性剤：花王株式会社製
※３  光反射性有機化合物  （平均粒径０．１μｍの固体分散物）
※４  膨潤性無機層状化合物：コープケミカル社製  ＭＥ１００
（平均粒径  ５μｍ、厚さ１０ｎｍ）
※５  再帰性光反射ビーズ：株式会社ユニオン製Ｍシリーズ（平均粒径  １０μｍ）
【０１８９】
【化６１】
2006058501.tif 000070
【０１９０】
前記感光シート１０１〜１０５と前記カバーシート１０１と処理液１０１を用いて特開平７−１５９９３１号公報の方法でカラー拡散転写写真ユニット１０１〜１０５を作製した。このカラー拡散転写写真ユニットをカメラに装填後、カバーシート側から露光し、両材料間に処理液が５５μｍの厚みになるように調節された加圧ローラーにより展開して、カラー拡散ユニット１０１〜１０５の露光、現像を行った。処理は２５℃で行い、展開処理から１日後の反射濃度をカラー濃度計にて測定し、最高濃度、最低濃度を求めた。
【０１９１】
前記処理条件にて最低濃度がカラー拡散ユニット１０１と同様になるように、前記感光シート１０２〜１０５の第２層（白色光拡散層）の塗設量を調節したサンプル１０２〜１０５を作成した。
前記の方法と同様の方法で、作成した感光シートと前記カバーシート１０１と前記処理液１０１を用いて、カラー拡散ユニット１０２〜１０５を作成した（比視感度の最も高い領域である緑色光での測定で濃度合わせを行った）。作成したサンプルを白色光によって曝光し、前記処理方法と同様に処理した。処理後の各ユニットのイエロー濃度を、時間を追って測定し、イエロー濃度が１．６を越える時間を調べた。表８に１０２〜１０５の第２層（白色光拡散層）の塗設量をカラー拡散ユニット１０１の塗設量に対する割合で示し、さらにイエロー濃度が１．６を越える時間を示す。
【０１９２】
【表８】
2006058501.tif 000071
【０１９３】
表８から、本発明の光反射性微粒子を用いることにより、少ない二酸化チタン量で、未露光部の白色を保つことができることがわかった。また、このことにより、同様の白地を保ちながら、転写進行を速めることができることがわかった。
【０１９４】
（実施例２）
実施例１のカラー拡散転写写真ユニット作製法において、感光要素を感光シート２０１に変更し、処理液の展開厚みを変更したユニットを作製して、効果を評価した。
【０１９５】
まず、以下の表９〜表１１の組成の感光要素（感光シート２０１）を作製した。
【０１９６】
【表９】
2006058501.tif 000072
【０１９７】
【表１０】
2006058501.tif 000073
【０１９８】
【表１１】
2006058501.tif 000074
【０１９９】
【表１２】
2006058501.tif 000075
【０２００】
【表１３】
2006058501.tif 000076
【０２０１】
感光要素（感光シート２０１）の作製に使用した化合物を以下に示す。
【０２０２】
【化６２】
2006058501.tif 000077
【０２０３】
【化６３】
2006058501.tif 000078
【０２０４】
【化６４】
2006058501.tif 000079
【０２０５】
【化６５】
2006058501.tif 000080
【０２０６】
【化６６】
2006058501.tif 000081
【０２０７】
【化６７】
2006058501.tif 000082
【０２０８】
【化６８】
2006058501.tif 000083
【０２０９】
【化６９】
2006058501.tif 000084
【０２１０】
【化７０】
2006058501.tif 000085
【０２１１】
乳剤は以下に示す調製法により、表面潜像型乳剤Ｊ、Ｋ、Ｌの３種類のハロゲン化銀乳剤を調製し、これを用いた。表１２にまとめて示す。
【０２１２】
乳剤−Ｋ：
臭化カリウム０．００５ｍｏｌ、平均分子量２万以下の低分子量ゼラチン１．１ｇを含むゼラチン水溶液０．７リットル中に、０．５８ｍｏｌ／リットルの濃度の硝酸銀水溶液２６．５ｍｌと臭化カリウム０．４２ｍｏｌ／リットル及び平均分子量２万以下の低分子量ゼラチン１．５質量％を含む水溶液４６．４ｍｌを激しく撹拌しながらダブルジェット法で１分間かけて同時に混合した（１回目添加）。この間ゼラチン水溶液は３５℃に保たれた。臭化カリウム０．５ｇを添加した後、１分間に１．５℃の勾配で７５℃に昇温した。
７５℃の温度に達した後、Ｃａ含量１００ｐｐｍ以下の脱イオンゼラチンを１６質量％含むゼラチン溶液０．１６リットル（１回目添加）、４．９％硫酸水溶液５ｍｌを添加した。続いて、１．８８ｍｏｌ／リットルの濃度の硝酸銀水溶液と１．８８ｍｏｌ／リットルの濃度の臭化カリウム水溶液を加速された流速（終了時の流速が開始時の流速の３．５倍）でダブルジェット法で４４分かけて添加した（２回目添加、使用した硝酸銀水溶液の量は３６６ｍｌ、臭化カリウム水溶液の量は３７５ｍｌであった）。
【０２１３】
次に、Ｃａ含量１００ｐｐｍ以下の脱イオンゼラチンを１４質量％含むゼラチン溶液０．０８リットル（２回目添加）、ベンゼンチオ硫酸ナトリウムを２ｍｇ添加した。引き続いて、１．８８ｍｏｌ／リットルの濃度の硝酸銀水溶液と１．８８ｍｏｌ／リットルの濃度の臭化カリウム水溶液を加速された流速（終了時の流速が開始時の流速の１．２倍）でダブルジェット法で１１分かけて添加した（３回目添加、使用した硝酸銀水溶液の量は１５７ｍｌ、臭化カリウム水溶液の量は１６３ｍｌであった）。
【０２１４】
臭化カリウム４．６ｇを添加した後、常法のフロキュレーション法により水洗し、脱イオンゼラチン及び２−フェノキシエタノール、ｐ−ヒドロキシ安息香酸メチルを添加した後、ｐＨ５．８、ｐＡｇ８．８に調節して乳剤１ｋｇあたり１．３５ｍｏｌの銀、８４ｇのゼラチンを含むように調節した。このようにして調製した乳剤０．７４ｋｇを加温溶解し、５５℃に昇温した後、沃化カリウム０．５ｇ、増感色素（６）を４．２×１０-4モル、増感色素（７）を５．４×１０-4モル添加し３０分間熟成を行った。次にチオシアン酸カリウム５．０×１０-4モル、四塩化金酸カリウム１．４×１０-5モル、チオ硫酸ナトリウム１．２×１０-5モル、を添加し６０分熟成を行い、途中化合物Ｅ−４を１．０×１０-3モル添加し、更に熟成終了時に化合物Ｅ−５を３．２×１０-4モル添加して乳剤調製を終了した。
【０２１５】
個々の粒子の主平面方向から見た投影面積と等しい面積の円の直径を円相当直径と言う。電子顕微鏡による観察の結果、粒子厚さｈｉの平均値（＝Σｈｉ×ｎｉ／Σｎｉ）０．１３５μｍ、粒子の円相当直径Ｄｉの平均値（＝ΣＤｉ×ｎｉ／Σｎｉ）１．１５μｍであった。円相当直径Ｄｉの平均値／粒子厚さｈｉの平均値で定義される平均アスペクト比は８．５であった。
【０２１６】
乳剤−Ｊ：
乳剤−Ｋの調製法において、増感色素（６）、増感色素（７）の代わりに増感色素（９）を９．２×１０-4モル、添加することによって乳剤−Ｊを調製した。
【０２１７】
乳剤−Ｌ：
乳剤−Ｋの調製法において、増感色素（６）、増感色素（７）の代わりに増感色素（１）を８．４×１０-4モル、増感色素（２）を２．６×１０-5モル、増感色素（３）を１．７×１０-4モル、添加することによって乳剤−Ｌを調製した。
【０２１８】
【表１４】
2006058501.tif 000086
【０２１９】
乳剤調製に用いた化合物をまとめて以下に示す。
【０２２０】
【化７１】
2006058501.tif 000087
【０２２１】
感光シート２０１の第３層（中間層、表１２参照）を前記表７に示す層に変更した以外は前記感光シート２０１と同様にして、感光シート２０２〜２０５を作成した。
【０２２２】
前記感光シート２０１〜２０５と前記カバーシート１０１と処理液１０１を用いて特開平７−１５９９３１号の方法でカラー拡散転写写真ユニット２０１〜２０５を作製した。このカラー拡散転写写真ユニットをブルー、グリーン、レッドの三色のＬＥＤ露光機を内蔵する露光展開処理機で露光から展開処理まで行った。露光展開処理機にカラー拡散転写写真ユニット２０１〜２０５を装填後、カバーシート側からＬＥＤを光源として露光し、両材料間に処理液が３８μｍの厚みになるように調節された加圧ローラーにより展開して、ユニット２０１〜２０５の露光、現像を行った。処理は２５℃で行い、展開処理から５分後、１日後の反射濃度をカラー濃度計にて測定し、最高濃度、最低濃度を求めた。
このカラー拡散転写写真ユニットをカメラに装填後、カバーシート側から露光し、両材料間に処理液が５５μｍの厚みになるように調節された加圧ローラーにより展開して、ユニット２０１〜２０５の露光、現像を行った。処理は２５℃で行い、展開処理から１日後の反射濃度をカラー濃度計にて測定し、最高濃度、最低濃度を求めた。
【０２２３】
前記処理条件にて最低濃度がユニット２０１と同様になるように、前記感光シート２０２〜２０５の第２層の塗設量を調節したサンプル２０２〜２０５を作成した。
前記の方法と同様の方法で、作成した感光シートと前記カバーシート１０１と前記処理液１０１を用いて、カラー拡散ユニット２０２〜２０５を作成した（比視感度の最も高い領域である緑色光での測定で濃度合わせを行った）。
作成したサンプルを白色光のよって曝光し、前記処理方法と同様に処理した。処理後の各ユニットのイエロー濃度を、時間を追って測定し、イエロー濃度が１．６を越える時間を調べた。
表１５にカラー拡散ユニット２０２〜１０５の第２層の塗設量を１０１の塗設量に対する割合で示し、さらにイエロー濃度が１．６を越える時間を示す。
【０２２４】
【表１５】
2006058501.tif 000088
【０２２５】
表１５から、ネガ型ハロゲン化銀乳剤を用い、複数個の特定波長域で発光する異なる光源を有する露光ヘッドを用いて露光した場合でも、本発明の光反射性微粒子を用いることにより、少ない二酸化チタン量で、未露光部の白色を保つことができることがわかった。また、このことにより、同様の白地を保ちながら、転写進行を速めることができることがわかった。